(57)【要約】【課題】病室内の患者の状態の変化を医療従事者に適正に報知させる報知システムを提供する。【解決手段】この発明の実施形態の報知システムは、被検知者の動作情報を生成する検知手段と、前記検知手段からの前記動作情報に基づいて所定のイベントの発生の有無を判定し、前記所定のイベントが発生したと判定した場合に、前記所定のイべントが発生したことを示すイベントの発生情報を出力する制御手段と、前記制御手段で出力された前記イベントの発生情報を表示する表示手段と、を備え、前記表示手段は、前記イベントの発生情報をアイコンを用いて表示することを特徴とする。【選択図】図２
2018166335.tif 000002
【特許請求の範囲】
【請求項１】
被検知者の動作情報を生成する検知手段と、
前記検知手段からの前記動作情報に基づいて所定のイベントの発生の有無を判定し、前記所定のイベントが発生したと判定した場合に、前記所定のイべントが発生したことを示すイベントの発生情報を出力する制御手段と、
前記制御手段で出力された前記イベントの発生情報を表示する表示手段と、を備え、
前記表示手段は、前記イベントの発生情報をアイコンを用いて表示することを特徴とする報知システム。
【請求項２】
前記表示手段は前記アイコンを表示する表示部を有する携帯通信端末である、請求項１に記載の報知システム。
【請求項３】
前記報知システムは、前記被検知者を撮影する撮影手段を備え、
前記制御手段は、前記所定のイベントが発生したと判定した場合に、前記撮影手段で前記被検知者を撮影した映像を前記携帯通信端末に出力し、
前記携帯通信端末の表示部はさらに前記映像を表示することを特徴とする請求項２に記載の報知システム。
【請求項４】
前記映像はライブ映像であり、前記携帯通信端末は操作部を有し、前記操作部において所定の操作が行われると、前記表示部は前記ライブ映像を表示することを特徴とする請求項３に記載の報知システム。
【請求項５】
前記携帯通信端末は通信通話部を有し、前記表示部が前記ライブ映像を表示したまま、前記通信通話部を介して前記被検知者と通信又は通話が可能となるように構成されることを特徴とする請求項４に記載の報知システム。
【請求項６】
被検知者の動作情報に基づいて所定のイベントの発生を判定し、前記イベントの発生を報知する報知システムにおける表示手段であって、
前記表示手段は、前記所定のイベントが発生したことを示すイベントの発生情報を受信すると、前記イベントの発生情報をアイコンを用いて表示することを特徴とする表示手段。
【請求項７】
前記表示手段は前記アイコンを表示する表示部を有する携帯通信端末である、請求項６に記載の表示手段。
【請求項８】
前記携帯通信端末の表示部は、前記報知システムの撮影手段で前記被検知者を撮影した映像をさらに表示することを特徴とする請求項７に記載の表示手段。
【請求項９】
前記映像はライブ映像であり、前記携帯通信端末は操作部を有し、前記操作部において所定の操作が行われると、前記表示部は前記ライブ映像を表示することを特徴とする請求項６に記載の表示手段。
【請求項１０】
被検知者の動作情報に基づいて所定のイベントの発生を判定し、前記イベントの発生を表示手段を介して報知する報知システムにおける前記表示手段の表示方法であって、
前記所定のイベントが発生したことを示すイベントの発生情報を受信すると、
前記イベントの発生情報をアイコンを用いて前記表示手段に表示することを特徴とする
表示方法。
【請求項１１】
被検知者の動作情報に基づいて所定のイベントの発生を判定し、前記イベントの発生を表示手段を介して報知する報知システムにおいて、前記表示手段に前記イベントの発生を表示させるためのコンピュータプログラムであって、
前記所定のイベントが発生したことを示すイベントの発生情報を受信すると、前記イベントの発生情報をアイコンを用いて表示させるステップをプロセッサに実行させることを特徴とするコンピュータプログラム。
【発明の詳細な説明】
【技術分野】
【０００１】
この発明は、報知システム、表示手段、表示方法並びにコンピュータプログラムに関し、例えば、病院や看護施設等に設置されるナースコールシステムの置き換え等に適用して好適なものである。
【背景技術】
【０００２】
病院内において広く用いられている報知システムとして、ナースコールシステムがある。このナースコールシステムは、例えば、病室内の患者により呼び出しボタンが操作されることで、ナースステーション等に設けられた報知機が報知を行う。これにより、ナースステーションに詰めている看護師、介護士等の医療従事者が呼び出される。
【０００３】
従来の一般的なナースコールシステムにおいては、子機が病室内に備えられた患者のベッド毎に設置される。子機は、患者が医療従事者を呼び出すための呼び出しボタンを備える。この呼び出しボタンは、例えば、患者の手元に置かれる。子機は親機に通信可能に接続される。親機には報知機を備え、呼び出しボタンの押下に応じて報知機が動作する。
【０００４】
親機は、例えば、詰所であるナースステーションの壁面にパネルとして設けられる。このパネルには、例えば、表示パネル、スピーカー等の任意の報知機が設けられる。親機が報知機能として表示及び音声出力を備える場合、患者による呼び出しボタンの操作を受けて、その表示パネルには、その患者を特定可能な情報が表示される。さらに、そのスピーカーから、呼び出しボタンが操作されたことを示す報知音が発せられる。また、ナースコールシステムにＰＢＸ交換機等が組み込まれている場合、呼び出しボタンの操作をトリガーとして、親機がＰＨＳ等の携帯端末に対し外部への報知（呼び出し）を行わせることもできる。
【０００５】
また、近年において、ナースコールシステムにカメラを組み合わせた構成を有するものが提案されている。このカメラは、例えば、病室内に設けられる。この構成においてカメラは、子機と対応付けられている。子機に備えられた呼び出しボタンが操作されると、対応するカメラにより、その子機が設置されている患者のベッド周辺が撮影され映像情報が生成される。この映像情報は親機に送信され、この映像情報に基づく映像が親機に備えられたディスプレイモニタに表示される。このような構成により、医療従事者は、呼び出しボタンが操作された時点での患者の状態を視覚的に把握可能となる（例えば、特許文献１）。
【０００６】
このように、ナースコールシステムは、呼び出しボタンの操作に応じて、親機に備えられた報知機から報知音が発せられ、さらに親機に備えられたディスプレイモニタやスピーカーに映像等の情報が送信される。親機がナースステーションに設けられる場合、医療従事者等はナースステーションにいながらにして患者の状況の変化などを把握することができ、例えば、患者の身に重大な変化（重大な事態）が起きた場合等に速やかに対処することができる。
【先行技術文献】
【特許文献】
【０００７】
【特許文献１】特開２００８−０７９８００号公報
【発明の概要】
【発明が解決しようとする課題】
【０００８】
このように、従来のナースコールシステムは、患者が自身の状況の変化を認識し、呼び出しボタンを押下したことに応じて映像が表示される。すなわち、ディスプレイモニタに表示される画像は、患者の身に重大な変化が起きた後の状況を示している。そのため、画像を閲覧した医療従事者は、どのような過程でその状況になったのか把握できないことがある。例えば、患者がベッドから転落してから呼び出しボタンが押された場合、転落時の状況はディスプレイモニタに表示されない。したがって、医療従事者にとって、どのように転落したのかを把握することは困難である。つまり、医療従事者により負傷箇所を特定することが困難な場合があり、その場合、医療従事者は速やかに救護等の対応を行うことができない。
【０００９】
この問題の解決方法として、カメラで撮影され生成された映像情報等を全て保管し、患者の身に重大な変化が起きた場合に、その状況に対応する映像を医療従事者が検索して特定する方法が挙げられる。しかしながら、入院患者数が多い大病院では、その撮影情報が膨大となる。そのため、その撮影情報が保管される保管装置の容量が足りなくなることで保管不能となる場合があった。また、膨大な撮影情報の管理も非常に煩雑なものとなっていた。
【００１０】
一方で、上述したような多機能のナースコールシステムは、既に設けられているナースコールシステムを廃して置き換えるものであるので、その導入は非常にコストが掛かるものであった。
【００１１】
そこで、この発明の実施形態が解決しようとする課題は、病室内の患者の状態の変化を医療従事者に適正に報知させる報知システムを提供することにある。例えば、患者に変化が発生して報知がされた場合に、その発生の時刻の前後の時間における患者の状態を把握することができる報知システムを提供するものである。
【課題を解決するための手段】
【００１２】
上記課題を解決するために、この発明の実施形態の報知システムは、被検知者の動作情報を生成する検知手段と、前記検知手段からの前記動作情報に基づいて所定のイベントの発生の有無を判定し、前記所定のイベントが発生したと判定した場合に、前記所定のイべントが発生したことを示すイベントの発生情報を出力する制御手段と、前記制御手段で出力された前記イベントの発生情報を表示する表示手段と、を備え、前記表示手段は、前記イベントの発生情報をアイコンを用いて表示することを特徴とする。
また、この発明の実施形態の報知システム（以下、単に「この発明の報知システム」という）は、時間変化に応じた被検知者の動作情報を生成する検知手段と、前記検知手段に接続され、前記動作情報を保管する保管手段と、前記検知手段から前記動作情報を受けて該動作情報を解析し、前記解析の結果から所定のイベントの発生を判定し、前記判定の時刻を含む所定時間における前記動作情報を特定し、発生した前記所定のイベントの種別に応じて、該動作情報に保管優先度の値を付与して前記保管手段に送信する制御手段とを備えたことを特徴とするものである。
【００１３】
制御手段には、例えば、１又は複数の検知手段が接続される。制御手段に複数の検知手段が接続される場合、制御手段は、複数の検知手段から受けた検知情報を一括で処理するように構成される。
【００１４】
「被検知者」とは、限定された空間内に一定期間常駐され、この空間内において監視される者をいう。被検知者としては、例えば、患者、被介護者、危険な作業を行う者等が挙げられる。ここで、「被検知者の動作情報」とは、例えば、検知手段において生成された検知情報から、所定の処理を行うことで特定された被検知者の動作である。
【００１５】
検知手段は、人間の動きを継続的に検知可能であれば、どのような構成を備えたものであってもよい。検知手段としては、例えば、被検知者（患者）に接触することなしに検知が可能な非接触式の検知装置が挙げられる。この検知装置としては、例えば、ビデオカメラ等の撮影装置、デジタルレコーダ、アナログレコーダ等の録音装置、超音波センサ、マイクロ波ドップラーセンサ、赤外線センサ等の動体検知装置が挙げられる。検知手段は、前述の検知装置のうち少なくとも２つを組み合わせて構成することもできる。
【００１６】
制御手段は、例えば、解析によって特定された被検知者の動作情報とイベント判定情報とに基づいて所定のイベントの発生の有無の判定を行う。イベント判定情報は、所定のイベントに対応する情報を含む。イベント判定情報は、例えば、制御手段に含まれる保管部又は保管手段（以下、保管手段等という場合がある）に予め記憶されている。
【００１７】
「所定のイベント」とは、被検知者を監視する際に注目されるイベントをいう。「イベント」とは、偶発的に生じる被検知者の状態変化をいう。この状態変化のうち、例えば、転倒、転落が「所定のイベント」として設定される。「所定のイベント」は、被検知者の種別により適宜設定することができる。被検知者が入院患者である場合、これら状態変化に加えて、起床、離床、徘徊等が「所定のイベント」として設定される。これら状態変化は、例えば、被検知者による特定の動作に対応する。つまり、前記所定のイベントに対応する情報は、被検知者による特定の動作の情報とすることができる。
【００１８】
「保管優先度の値」とは、保管手段に保管された被検知者の動作情報のうち、保管が優先されるものの度合いを示す。これは、逆に言えば、削除を優先するものの度合いを示すものでもあり、動作情報が削除される際には「保管優先度の値」が低い情報から優先的に削除されていく。保管が優先されるものの度合いは、所定のイベント毎に、例えば数値が対応付けられることで設定される。この対応付けは、例えば、保管手段等に予め保管された対応表に基づいて行われる。
【００１９】
また、この発明の報知システムでは、前記制御手段により、前記判定された時刻を含む前記所定時間において前記特定をする。所定時間は、第１所定時間遡った時刻を始点とし、第２所定時間経過後の時刻を終点とする。
【００２０】
また、この発明の報知システムは、外部に報知が可能に構成された報知部を備える。前記制御手段は、前記所定のイベントの発生が判定された場合に、該判定がされた時刻を含む所定時間における前記被検知者の動作情報を、前記報知部に送信する。
【００２１】
また、この発明の報知システムにおいて、前記検知手段は、例えば、撮影が可能に構成された撮影手段である。前記撮影手段は前記被検知者の動作情報を含む映像を生成する。前記制御手段は、映像の表示が可能に構成された第１の表示部を備える。また前記制御手段は、前記映像情報を解析して、前記映像を構成する画素の輝度値の変化に基づいて、前記所定のイベントの発生として前記被検知者の所定の動作の有無を判定する。また前記制御手段は、該判定結果に応じ、前記所定時間において前記撮影手段によって撮影された映像を前記第１の表示部に表示する。
【００２２】
前記撮影手段は、動画像、静止画像等の映像を生成することができれば、どのような構成を備えていてもよい。前記撮影手段は、従来公知の撮影装置を適宜選択して用いることができる。この撮影装置としては、例えば、一般的な可視光カメラであるデジタルカメラ（デジタルスチルカメラ、デジタルビデオカメラ等）が挙げられる。また、夜間消灯時における撮影に対応するため、撮影手段として赤外線暗視装置（赤外線カメラ）、熱線暗視装置（サーモーグラフィカメラ）等の撮影装置が用いられてもよい。また、撮影手段は、前記の暗視機能を備えた可視光カメラであってもよい。
【００２３】
第１の表示部には、撮影手段で生成された映像が表示される。この映像は、例えば、保管手段に保管された映像情報が再生されることで表示される。この場合、制御手段には、映像情報を再生するための再生手段が接続される。また、制御手段が、映像情報を再生する機能を備えていてもよい。第１の表示部は、例えば、ナースステーション等の詰所に設置されるディスプレイモニタである。
【００２４】
また、この発明の報知システムにおいて、前記被検知者の所定の動作を示す映像は、前記保管手段に保管された前記判定の時刻を含む所定時間に前記撮影手段において撮影された映像である。
【００２５】
また、この発明の報知システムにおいて、前記検知手段は、被検知者の胸部を含む領域に向けてマイクロ波を照射する送信部と前記動作情報として前記被検知者からの反射波を受信する受信部とを備えたマイクロ波ドップラーセンサである。前記制御手段は、前記反射波のドップラーシフトに基づき、前記被検知者の呼吸状態を解析する。さらに前記制御手段は、前記解析の結果に基づき、前記所定のイベントの発生として前記呼吸状態が所定の呼吸状態となったか否かを判定する。さらに前記制御手段は、前記所定の呼吸状態となった場合に、前記報知部の制御情報を送信する。
【００２６】
また、この発明の報知システムにおいて、前記制御手段は、所定の条件において、前記保管手段に保管された前記被検知者の動作情報の削除を実行する。前記削除は、前記保管優先度の値の低い順に実行される。
【００２７】
また、この発明の報知システムにおいて、前記制御手段は、前記保管手段における保管から所定時間が経過した場合、前記所定の条件として前記削除を行う。あるいは前記制御手段は前記保管手段の保管可能容量が所定の値を下回った場合、前記所定の条件として前記削除を行う。
【００２８】
また、この発明の報知システムは、少なくとも１つの携帯通信端末に情報を送信可能に構成された送受信手段を備える。前記制御手段は、前記判定により特定された前記所定のイベントの発生に基づく情報を、前記送受信手段を介して前記携帯通信端末に送信する。
【００２９】
また、この発明の報知システムにおいて、前記携帯通信端末は、前記動作情報に基づく情報が表示可能に構成された第２の表示部を備える。前記制御手段は、前記保管優先度の値とともに、前記判定により特定された所定のイベントに対応する前記動作情報に基づく情報を、前記送受信手段を介して前記携帯通信端末に送信する。また、前記携帯通信端末は、該情報を該第２の表示部に表示する。
【００３０】
携帯通信端末は、無線によって通信が可能な機器である。無線通信の通信形態は、例えば、アドホックモードであってもよいし、また、インフラストラクチャモードであってもよい。また、無線通信の通信形態は、これらに挙げた通信形態を組合せたものであってもよい。「アドホックモード」とは、複数の端末が並列に通信可能な通信形態をいう。また、「インフラストラクチャモード」とは、一方の端末、装置を親機とし、他方の端末を子機とした通信が可能な通信形態をいう。携帯通信端末としては、例えば、第２の表示部に相当するディスプレイモニタを備える機器が挙げられる。この機器の具体例としては、ＰＤＡ、タブレット端末、携帯電話、スマートフォン等が挙げられる。
【００３１】
この場合、制御手段は、その映像に対応する被検知者を特定し、その被検知者の動作情報を特定の携帯通信端末に送信することもできる。この特定は、検知手段で生成された動作情報と、予め設定された検知手段と、被検知者との対応情報とに基づいて行われる。
【００３２】
また、この発明の報知システムは少なくとも１つの携帯通信端末に映像を送信可能に構成された送受信手段を備える。前記携帯通信端末は、前記映像が表示可能に構成された第２の表示部を備える。前記制御手段は、前記被検知者の所定の動作が発生したことに応じ、前記送受信手段を介して、前記撮影手段で撮影中の前記被検知者のライブ映像を前記携帯通信端末に送信する。前記携帯通信端末は、前記携帯通信端末を操作する端末操作者が、所定の操作をすることで、前記ライブ映像を参照しながら、前記被検知者と通信又は通話が可能となるように構成される。
【００３３】
また、この発明の報知システムにおいて、前記送受信手段は、前記被検知者と前記携帯通信端末とが対応付けられることで、特定の携帯通信端末へ情報の送信が可能に構成される。前記検知手段は前記被検知者に対応付けられている。前記制御手段は、前記検知手段から前記被検知者の動作情報を受けると、該検知手段と該被検知者との前記対応に基づいて該被検知者を特定する。さらに前記制御手段は、該被検知者と前記携帯通信端末との対応に基づいて送信する携帯通信端末を特定する。そして前記制御手段は前記送受信手段を介して、前記被検知者の動作情報を特定した携帯通信端末に送信する。
【００３４】
また、この発明の報知システムには報知手段が設けられる。前記報知手段は操作入力が可能に構成された操作部を備える。また前記報知手段は、前記操作部と離間した位置にあり外部に報知が可能に構成された報知部を備える。また前記報知手段は操作者による前記操作入力によって前記操作部から送信された前記報知部を作動させる第１の信号によって前記報知部が作動して外部に報知をする。さらに報知システムには、時間変化に応じた前記操作者の動作情報を生成する検知手段が設けられる。また、報知システムには、前記検知手段から前記動作情報を受けて該動作情報を解析し、前記解析の結果から所定のイベントの発生を判定する制御手段が設けられる。また報知システムは、前記操作部と前記報知部との間に設けられ、前記報知部と前記制御手段とが通信可能に構成され、前記報知部に前記第１の信号を送信する中継手段を備える。前記制御手段は、前記判定を実行した場合に、第２の信号を前記中継手段に送信する。前記中継手段は前記第２の信号を受けて前記報知部に、前記報知部を作動させる第３の信号を送信する。
【００３５】
「報知手段」は、操作入力を受けて外部に対し報知させる構成を備えるものであればどのようなものであってもよい。この発明の実施形態の報知システムは、従来公知の報知手段を適宜選択し、これに中継手段を組み合わせて構成することができる。また、報知手段に含まれる操作部と報知部との接続形態は、無線、有線を問わない。
【００３６】
「操作者」とは、前記した被検知者のうち操作部を用いる者をいう。操作者には、被検知者に関して前記したことを適宜適用することができる。操作者としては、例えば、患者、被介護者、危険な作業を行う者等が挙げられる。検知手段が備えられた場所が病室である場合、操作者は例えば患者である。
【００３７】
中継手段は、制御手段に制御されることで、報知部を作動させる「第３の信号」を送信可能な構成を備える。中継手段は、例えば、報知部及び操作部のうちの一方又は両方から発せられた各信号を制御手段に送信可能な構成を備えていてもよい。この機能が実行される場合、「第１の信号」は「第３の信号」として扱われる。
【００３８】
中継手段は、例えば、経路切替器及び信号変換器のうちの一方又は両方の機能を備える。ここで、「第２の信号」が「第３の信号」を含む場合、中継手段は経路切替器として機能する。この機能が実行される場合、中継手段において報知部につながる経路が接続される。この接続は、例えば、制御手段に制御されることで行われてもよいし、「第２の信号」に含まれる接続制御信号等によって行われてもよい。その結果、制御手段から送信された「第３の信号」は中継手段を介して報知部に到達する。
【００３９】
また、「第２の信号」が、「中継手段に「第３の信号」を送信させる信号」を含む場合、中継手段は信号変換器として機能する。この機能が実行される場合、中継手段は、制御手段から「第２の信号」を受けて、この信号に解析、判定、変換等の処理を施すことにより第３の信号を生成する。さらに中継手段は報知部に対して生成された「第３の信号」を送信する。「第２の信号」に検知手段を識別する情報が付帯されている場合、中継手段が信号変換器として機能することで、この情報が解析される。この解析により、「第２の信号」がどの検知手段から送信された信号であるかを識別することができる。中継手段は、この識別結果に基づいて、例えば、特定の制御信号を「第２の信号」とともに報知部に送信する。これにより、この制御信号に基づいて、報知部に設けられた第１の表示部に対し特定の表示制御が行われる。
【００４０】
「特定の表示制御」は、制御信号により特定された操作者の情報を、特定して表示する制御をいう。この制御として、例えば、制御信号により特定された操作者に対応するＬＥＤを点灯させる制御が挙げられる。この場合、第１の表示部は操作者の氏名に対応して複数設けられたＬＥＤを含んで構成される。また、第１の表示部がディスプレイモニタである場合、第１の表示部は操作者の氏名等の情報を文字映像として表示する。
【００４１】
また、この発明の報知システムは、前記中継手段に備えられた第１通信手段と、前記検知手段又は前記制御手段に備えられた第２通信手段とを備える。前記第１通信手段と前記第２通信手段とが双方向に通信することによって、前記報知部と前記検知手段又は前記制御手段とが、前記中継手段を介して双方向通信可能に構成される。
【００４２】
第２通信手段が制御手段に備えられる場合、中継手段は詰所内又はその近傍に設けられる。この発明の実施形態の報知システムが備えられる施設が病院である場合、この詰所は、例えば、ナースステーションである。一方、第２通信手段が検知手段に備えられる場合、中継手段は検知手段の近傍、つまり操作者のいる部屋内又はその近傍に設けられる。この発明の実施形態の報知システムが備えられる施設が病院である場合、その部屋は患者の病室である。
【００４３】
また、この発明の報知システムにおいて、前記制御手段は、前記所定のイベントが発生したと判定された場合に、前記第２通信手段と前記第１通信手段とを介して、前記中継手段に前記第２の信号を送信する。
【００４４】
また、この発明の報知システムにおいて、前記第１通信手段及び前記第２通信手段は無線通信手段である。
【００４５】
また、この発明の報知システムにおいて、前記検知手段は、映像を生成可能に構成された撮影手段である。前記制御手段は、映像を表示可能に構成された第３の表示部を備える。また前記制御手段は、前記所定のイベントが発生したと判定した場合又は前記操作入力がされた場合に、前記判定又は前記操作入力が実行された時刻を含む所定の期間において前記撮影手段で撮影された映像を、前記第３の表示部に表示する。
【００４６】
また、この発明の報知システムにおいて、前記制御手段は、前記操作者の所定の動作に応じた前記映像を構成する画素の輝度値の変化に基づいて、前記所定のイベントの発生を判定する。
【００４７】
また、この発明の報知システムは、少なくとも１つの携帯通信端末と通信可能に構成された第３通信手段を備える。前記制御手段は、前記所定のイベントの発生が判定された場合に、該判定結果に基づく情報を、前記第３通信手段を介して前記携帯通信端末に送信する。前記中継手段は、前記第３の信号が送信されたことを示す情報を、前記第１通信手段を介して前記携帯通信端末に出力する。
【００４８】
制御手段は、検知手段で生成された操作者の動作情報と、予め設定された検知手段と操作者との対応情報とに基づいて操作者を特定することができる。制御手段はこの特定により該操作者に対応する報知先を決定する。さらに制御手段は、中継手段を介して、決定した該報知先の情報を表示部に表示させるように制御することもできる。
【００４９】
また、この発明の報知システムにおいて、前記携帯通信端末は、映像を表示可能に構成された第４の表示部を備える。前記制御手段は、前記判定の実行を示す情報とともに、発生された前記所定のイベントに対応する映像を、前記第２通信手段または前記第３通信手段を介して前記携帯通信端末に送信する。前記携帯通信端末は、該映像を前記第４の表示部に表示する。
【００５０】
また、この発明の報知システムにおいて、前記報知手段は、前記操作部であるスイッチ部と、前記報知部である呼び出し部とを備える。また報知手段は、前記スイッチ部を前記操作者が操作入力することで、前記呼び出し部が作動するように構成されたナースコールシステムである。
【発明の効果】
【００５１】
この発明の実施形態によれば、病室内の患者の状態の変化を医療従事者に適正に報知することが可能である。例えば患者に変化が発生し詰所に報知がされた場合に、所定の操作によって、その発生の時刻の前後の時間における患者の状態を把握することができる。あるいは、既存の報知システムを生かしつつも、呼び出し操作の有無にかかわらず患者等に変化が発生した際に詰所に報知をすることができる。
【図面の簡単な説明】
【００５２】
【図１】第１の実施形態に係るナースコールシステムの一例を示した機能ブロック図である。
【図２】第１の実施形態に係るナースコールシステムの一例を示した機能ブロック図である。
【図３】イベント動作情報の種別とイベント閾値との対応関係の一例を示した表である。
【図４】イベント発生の有無及び発生したイベントの種別と付与される保管優先度の値との対応関係の一例を示した表である。
【図５】第１の実施形態に係るナースコールシステムの全体構成の一例を示した機能ブロック図である。
【図６】病床番号に対応する撮影手段及び操作部の一例を示した表である。
【図７】第１の実施形態に係るナースコールシステムのハードウエア構成の一例を示したブロック図である。
【図８】第１の実施形態に係るナースコールシステムの使用形態の一例を示したフローチャートである。
【図９】第２の実施形態に係るナースコールシステムの一例を示した機能ブロック図である。
【図１０】第２の実施形態に係るナースコールシステムの一例を示した機能ブロック図である。
【図１１】第２の実施形態に係るナースコールシステムの全体構成の一例を示した機能ブロック図である。
【図１２】病床番号に対応する撮影手段、操作部、及び携帯通信端末の一例を示した表である。
【図１３】第２の実施形態に係るナースコールシステムのハードウエア構成の一例を示したブロック図である。
【図１４】第２の実施形態に係るナースコールシステムの使用形態の一例を示したフローチャートである。
【図１５】実施例に係るナースコールシステムの使用形態を示したフローチャートである。
【図１６】第３の実施形態に係るナースコールシステムの一例を示した機能ブロック図である。
【図１７】第３の実施形態に係るナースコールシステムの一例を示した機能ブロック図である。
【図１８】第３の実施形態に係るナースコールシステムの全体構成の一例を示した機能ブロック図である。
【図１９】病床番号に対応するマイクロ波ドップラーセンサ、操作部、及び携帯通信端末の一例を示した表である。
【図２０】第３の実施形態に係るナースコールシステムのハードウエア構成の一例を示したブロック図である。
【図２１】第３の実施形態に係るナースコールシステムの使用形態の一例を示したフローチャートである。
【図２２】第４の実施形態に係るナースコールシステムの一例を示した機能ブロック図である。
【図２３】第４の実施形態に係るナースコールシステムの一例を示した機能ブロック図である。
【図２４】制御手段と中継手段との通信形態の一例を示した機能ブロック図である。
【図２５】制御手段と中継手段との通信形態の一例を示した機能ブロック図である。
【図２６】第４の実施形態に係るナースコールシステムの全体構成の一例を示した機能ブロック図である。
【図２７】病床番号に対応する撮影手段、中継手段、及び操作部の一例を示した表である。
【図２８】第４の実施形態に係るナースコールシステムのハードウエア構成の一例を示したブロック図である。
【図２９】第４の実施形態に係るナースコールシステムの使用形態の一例を示したフローチャートである。
【図３０】第５の実施形態に係るナースコールシステムの一例を示した機能ブロック図である。
【図３１】制御手段と中継手段との通信形態の一例を示した機能ブロック図である。
【図３２】中継手段と報知手段との通信形態の一例を示した機能ブロック図である。
【図３３】第５の実施形態に係るナースコールシステムの全体構成の一例を示した機能ブロック図である。
【図３４】第５の実施形態に係るナースコールシステムのハードウエア構成の一例を示したブロック図である。
【図３５】第６の実施形態に係るナースコールシステムの一例を示した機能ブロック図である。
【図３６】第６の実施形態に係るナースコールシステムの一例を示した機能ブロック図である。
【図３７】第６の実施形態に係るナースコールシステムの全体構成の一例を示した機能ブロック図である。
【図３８】病床番号に対応する撮影手段、操作部、及び携帯通信端末の一例を示した表である。
【図３９】第６の実施形態に係るナースコールシステムのハードウエア構成の一例を示したブロック図である。
【図４０】第６の実施形態に係るナースコールシステムの使用形態の一例を示したフローチャートである。
【図４１】従来のナースコールシステムを示した機能ブロック図である。
【発明を実施するための形態】
【００５３】
以下、発明を実施するための形態について、図面を参照して説明する。なお、各図において同一の構成を備えるものについては同一の符号を付す。
【００５４】
＜第１の実施形態＞
［ナースコールシステム］
以下、図を参照して、この実施形態に係るナースコールシステムの構成を説明する。この説明は、ナースコールシステムの機能的構成、ナースコールシステムの全体構成、及びこの機能的構成を実現するためのハードウエア構成の順に記載される。
【００５５】
［ナースコールシステムの機能的構成］
図１及び図２は、この実施形態に係るナースコールシステムの一例を示した機能ブロック図である。図２は、図１に示したナースコールシステム１０の詳細構成の一例を示す。以下の説明においては、被検知者が「患者」の場合について説明する。
【００５６】
〔ナースコールシステム１０〕
図１に示すように、ナースコールシステム１０は、撮影手段５０と、報知手段２０と、保管手段６０とを備える。撮影手段５０は、患者の映像情報を生成して、その映像情報を報知手段２０に向けて出力する。この映像情報は患者の動作情報を含む。報知手段２０は、操作部２１と、報知部２２と、制御手段４０とを含む。制御手段４０は、撮影手段５０から受けた映像情報を解析する。制御手段４０は、さらに、その解析結果に基づき所定のイベントの発生の有無を判定する。所定のイベントが発生したと判定されると、報知部２２は、そのイベントの発生を外部に報知する。また、制御手段４０は、その判定結果を受けて、発生されたイベントに対応した、患者の動作情報を含む映像情報（以下、「検知映像情報」という場合がある）を保管手段６０に出力する。ここで、「患者の動作情報」とは、患者の動作の情報のみならず、患者の動作が無いという情報も含む。「患者の動作が無いという情報」としては、患者が動けない状態、患者が検知範囲外に移動することで検知範囲である撮影範囲にいない状態等が挙げられる。
【００５７】
〔撮影手段５０〕
撮影手段５０は、検知映像情報を生成する第１のセンサとして機能する。この検知映像情報は、例えば、所定期間継続的に生成される。
【００５８】
撮影手段５０は、映像のうち、時間変化に応じた患者の動作を含む映像（以下、「検知映像」という場合がある）を生成可能に設置される。撮影手段５０は、撮影装置として前記したものから適宜選択して構成することができる。撮影手段５０は、例えば、その撮影領域に患者のベッドが含まれるような位置に設置される。
【００５９】
撮影手段５０は、制御手段４０に通信線Ｌ１を介して接続されることで、撮影手段５０から制御手段４０へ検知映像情報を出力可能に構成される。通信線Ｌ１は、撮影手段５０と制御手段４０との入出力を通信により実現する構成を備えていれば、どのようなものであってもよい。通信線Ｌ１としては、例えば、無線で構成されたもの、有線で構成されたもの、あるいはこれらを組み合わせたものが挙げられる。また、通信線Ｌ１は、通信の確立が定期的に確認可能な構成を備えることが望ましい。
【００６０】
通信線Ｌ１が、有線のＬＡＮ経路である場合、このＬＡＮ経路中にＰｏＥ（Ｐｏｗｅｒ  Ｏｖｅｒ  Ｅｔｈｅｒｎｅｔ（登録商標））の機能を備えたルーターが設けられていることが好ましい。この場合、このＰｏＥの機能を用いることにより、撮影手段５０に対し有線ＬＡＮを経由してルーターから電源を供給することができる。
【００６１】
〔保管手段６０〕
保管手段６０は、撮影手段５０において生成された検知映像情報を保管する。保管手段６０には、制御手段４０を介して撮影手段５０と接続されることで、制御手段４０において所定の処理が施された検知映像情報が入力される。この検知映像情報は、例えば、後述する保管優先度の値が付与された検知映像情報である。また、この検知映像情報は、例えば、プライバシー処理が施された検知映像情報である。このプライバシー処理としては、例えば、患者の顔に対するモザイク処理、人物シルエットを単色に塗りつぶすような処理等が挙げられる。
【００６２】
保管手段６０は、保管された検知映像情報を、所定の条件において削除又は移動する機能を備えてもよい。この所定の条件としては、例えば、保管手段６０における保管から所定時間が経過した場合、保管手段６０の保管可能容量が所定の値を下回った場合等が挙げられる。この削除又は移動は、例えば、複数保管された検知映像情報のうち、付与された保管優先度の値が低いものの順に実行される。具体例として、保管手段６０に含まれる図示しない保管判定部は、保管手段６０に保管された時刻から所定時間が経過した検知映像情報について、削除又は移動の可否を判定する。この判定は、その検知映像情報に付与された保管優先度の値に基づいて行われる。この判定において、その保管優先度の値が予め設定された閾値よりも小さい場合、その検知映像情報は削除又は移動される。
【００６３】
検知映像情報の移動としては、例えば、移動が必要と判定された検知映像情報が、図示しないネットワークを介して保管手段６０に接続された図示しないクラウドサーバ等に移動されることが挙げられる。また、保管手段６０は、検知映像情報の削除又は移動の機能を必ずしも備える必要はなく、例えば、判定部４２又は制御部４３によって保管手段６０に保管された検知映像情報の削除又は移動が実行されてもよい。
【００６４】
保管手段６０は、ネットワークＮを介して備えられたサーバであってもよい。このサーバ間の通信には、映像等の通信にＤＩＣＯＭに準拠した通信システムを用いることができる。この場合、保管手段６０は、映像が保管される画像保管通信システム（ＰＡＣＳ）、患者の情報、病院内の情報等が保管される病院情報システム（ＨＩＳ）等を構成する。
【００６５】
〔報知手段２０〕
報知手段２０は、患者による所定の操作入力に基づいて、外部に報知を行うナースコール装置である。
【００６６】
操作部２１と報知部２２とは、制御手段４０を介して、少なくとも操作部２１から報知部２２へ信号が出力可能に設けられる。この出力は、例えば、図示しない送受信部による通信によって行われる。その場合、操作部２１から報知部２２に向けて送信（出力）された信号は、制御手段４０を介し報知部２２において受信（入力）される。
【００６７】
報知部２２は、操作部２１と離間した位置に設けられる。具体的に、操作部２１は病室に、報知部２２はナースステーションにそれぞれ設けられる。例えば、患者により操作部２１が操作されると、その操作入力を受けて操作部２１から制御手段４０に対し報知部２２の作動を指示する信号（以下、「報知部作動信号」という場合がある）が少なくとも送信（出力）される。制御手段４０は、この信号を受けて報知部２２を制御することで、報知部２２が作動され外部に報知される。この場合、操作部２１からは、報知部作動信号の他に、制御情報、操作部２１の識別情報等の各種の情報が出力されるが、報知部作動信号が、これら各種の情報を含んでもよい。
【００６８】
《操作部２１》
操作部２１は、操作入力に基づいて所定の信号を制御手段４０へ出力可能な構成を備えていれば、どのようなものであってもよい。この場合、所定の信号は制御手段４０に対する所定の指示を含む。この所定の指示は、例えば、報知部２２を作動させて外部に対する報知を行わせる指示である。つまり、所定の信号は報知部作動信号を含む。操作部２１としては、例えば、ボタン式、トリガー式等の従来公知のナースコール子機、スイッチボタンを備える従来公知のナースコールボタン等を適宜選択して用いることができる。
【００６９】
《報知部２２》
報知部２２は、報知部作動信号を受けることで外部に対する報知が可能に構成されていれば、どのようなものであってもよい。報知部２２による報知形態としては、例えば、音、光、振動等の人間の五感に対するものが挙げられる。
【００７０】
また、報知手段２０はＰＢＸ交換機２５を備えていてもよい。ＰＢＸ交換機２５は、例えば、図２に示すように、報知部２２の内部に備えられる。報知部２２は、制御手段４０からの制御信号を受けて外部への報知を行い、さらにＰＢＸ交換機２５を作動させる。ＰＢＸ交換機２５はＰＨＳ端末２６に対して信号を送信する。この信号を受けたＰＨＳ端末２６は外部対して報知動作を行う。
【００７１】
《ＰＢＸ交換機２５》
ＰＢＸ交換機２５は、制御手段４０からの信号が入力可能であれば、その設置形態及び接続形態はどのようなものであってもよい。また、ＰＨＳ端末２６は、報知部２２に接続される形態であってもよいし、報知手段２０に接続される形態であってもよい。
【００７２】
《制御手段４０》
制御手段４０は、撮影手段５０から受けた検知映像情報を解析する。制御手段４０は、その解析結果に基づき所定のイベントの発生の有無を判定する。制御手段４０は、所定のイベントが発生したと判定した場合に、そのイベントに対応する検知映像情報を保管手段６０に出力する。
【００７３】
図２に示すように、制御手段４０は、解析部４１と、判定部４２と、制御部４３と、表示部４４と、イベント条件保管部４５と、保管優先度付与部４７とを備える。また、保管優先度付与部４７と、保管手段６０との間には必要に応じて、検知映像情報が一時的に保管される保管部４６が備えられる。
【００７４】
〈解析部４１〉
解析部４１は、撮影手段５０から受けた検知映像情報を解析して患者の動作情報を特定し、その情報を判定部４２に出力する。撮影手段５０において検知映像情報が継続的に生成される場合、解析部４１はその検知映像情報を継続的に受けてリアルタイムに解析し、その解析結果を判定部４２に出力する。
【００７５】
解析部４１は、検知映像情報を、所定のアルゴリズム（方法）に基づいて映像解析する。これにより、検知映像情報から患者の動作情報が特定される。映像解析のアルゴリズムの一例を挙げると、検知映像情報からエッジを抽出し、そのエッジの形態、動体等を解析することで人体と判別する方法が挙げられる。このアルゴリズムを用いた場合、映像解析は例えば以下に示すように行われる。
【００７６】
解析部４１は、まず、撮影手段５０から受けた検知映像情報に対し所定のフィルタを掛けてエッジ抽出を行う。このフィルタとしては、例えば、画素の輝度値によって物体の境界が判別されるもの、画素の輝度値の変化によって動体が判別されるものなどが挙げられる。
【００７７】
解析部４１は、次に、抽出されたエッジに囲まれる部分の大きさ、形状、動作等に基づきマッチング処理を行う。このマッチング処理により、検知映像のうちのエッジに囲まれる部分の取捨選択が行われる。このマッチング処理は、例えば、図示しないマッチング情報保管部に予め保管されたマッチング情報と、このエッジに囲まれる部分の情報とが比較されることによって行われる。マッチング情報は、例えば、人間の大きさ、人間の形状、人間の動作等の情報を含む。この処理の結果、エッジに囲まれた部分が人間であると特定される。さらに、このエッジに囲まれた部分の動作情報が患者の動作情報として特定され、判定部４２に出力される。
【００７８】
映像解析のアルゴリズムの他の一例を挙げると、サーモグラフィーカメラで生成された検知映像情報に対しフィルタ処理を行うことで、検知映像における特定の温度分布の領域を特定する方法が挙げられる。この例においても、特定された領域に対し同様にマッチング処理が行われる。
【００７９】
映像解析は、前記に例示されたアルゴリズムに基づくものに限定されない。例えば、映像解析には、従来公知のアルゴリズムを適宜選択して用いることができる。さらに、映像解析には、複数種類のアルゴリズムが組み合わされたものが用いられてもよい。判定部４２は、所定のイベントが発生したと判定した場合に、そのイベントの発生を示す情報（以下、「イベント発生情報」という場合がある）を制御部４３に出力する。
【００８０】
〈判定部４２〉
判定部４２は、解析部４１から受けた解析結果に基づいて所定のイベントの発生の有無を判定する。判定部４２は、解析部４１から受けた患者の動作情報が、予め設定された動作情報（所定のイベント；以下、「イベント動作情報」という場合がある）と一致するか否かを判定する。
【００８１】
「所定のイベント」とは、患者の特定の動作をいう。特定の動作としては、例えば、「患者がベッドから起きようとする動作」、「患者がベッドから離床しようとする動作」、「患者が転倒した動作」等が挙げられる。判定部４２は、「所定のイベントが発生した」と判定すると、その判定結果を少なくとも制御部４３に出力する。この場合、「一致」とは、「完全一致」のみならず「実質的な一致」も含む。「実質的な一致」とは、例えば、患者の一連の動作のうちの一部が一致した場合が挙げられる。また、解析部４１は、例えば、前記したマッチング処理から患者の体軸を特定することもできる。判定部４２は、特定された体軸の動作が、イベント動作情報に含まれる体軸の動作情報と一致した場合に所定のイベントが発生したと判定してもよい。
【００８２】
判定部４２は、患者の動作情報の一致のみに基づいて所定のイベントの発生の有無を判定するものに限定されない。例えば、特定の期間において患者が病室を不在にする場合、患者の動作情報は「なし」と判定される。ただし、判定部４２はこの状態についても所定のイベントの発生として判定する場合がある。この所定のイベントは、例えば「徘徊」である。一例として、イベントの発生の判定時が「夜間（消灯後）」であって、かつ患者が病室を特定の期間不在とした場合、判定部４２は「徘徊」のイベントが発生したと判定する。
【００８３】
また、判定部４２は、保管手段６０に保管された検知映像情報から、所定のイベントの発生を示す映像を含む検知映像情報（以下、「イベント検知映像情報」という場合がある）を特定し、保管手段６０に向けて逐次出力する。
【００８４】
イベント検知映像情報は、具体的に、所定のイベントの発生時刻（以下、「イベント発生時刻」という場合がある）を含む所定時間において撮影手段５０で生成された検知映像情報である。この所定時間の始点は、例えば、イベント発生時刻から第１所定時間遡った時刻であり、終点はイベント発生時刻から第２所定時間経過後の時刻である。また、例えば、操作部２１による操作入力が制御部４３に入力された時刻をイベント発生時刻として、前記と同様にイベント検知映像情報を生成させてもよい。判定部４２による前記判定がリアルタイムで行われている場合、「イベント発生時刻」は、前記判定において所定のイベントの発生があったと判定された時刻である。
【００８５】
〈イベント条件保管部４５〉
イベント条件保管部４５には、イベント条件情報が予め保管されている。「イベント条件情報」とは、所定のイベントの発生の判定に用いられる情報をいう。「イベント条件情報」には、前述した「イベント動作情報」が含まれる。また、「イベント条件情報」には、前記一致の判定の回数の閾値として「イベント閾値」が含まれる。この場合、判定部４２において、前記一致の判定が所定の回数に達したときが「所定のイベントの発生」と判定される。イベント条件保管部４５は、判定部４２に接続される。これにより、前述の判定が行われる際に、判定部４２に「イベント条件情報」が出力される。
【００８６】
「イベント閾値の値」は、例えば、イベント動作情報の種別に応じて設定される。図３は、イベント動作情報の種別と「イベント閾値」との対応関係の一例を示した表である。
【００８７】
図３に示すように、所定のイベントの種別としてイベント名が設定され、イベント名としては例えば「転落」、「転倒」、「徘徊」、「離床」、「起床」等が設定される。図３に示すような対応関係において、イベント種別ごとにイベント閾値が設定される。例えば、「転落」、「転倒」、「徘徊」等のイベント種別に対しては、イベント閾値が「１回」に設定される。すなわち、解析部４１から受けた患者の動作情報と、これら種別に該当するイベント動作情報との一致に係る判定回数が「１回」で所定のイベントの発生として判定される。その理由としては、これら種別のイベントに係る患者の動作は、患者の生命に関わる重大な事故に繋がる可能性が高いことが挙げられる。そのため、これら種別のイベントは、所定のイベントの中でも対応の緊急性が高く、報知部２２による早急な報知が必要となる。
【００８８】
〈制御部４３〉
制御部４３は、判定部４２からイベント発生情報を受けて、ナースコールシステム１０を構成する各部を制御する。制御部４３は、その各部のうち、例えば、表示部４４と報知部２２とを制御する。この場合、表示部４４には、例えば、撮影手段５０から出力された検知映像情報に基づくライブ映像又はイベント検知映像情報に基づく検知映像が表示される。また、報知部２２は、制御部４３から出力された報知部作動信号に基づいて報知音を発する。
【００８９】
また、制御部４３は、操作部２１から出力された報知部作動信号を受けて、ナースコールシステム１０を構成する各部を制御することもできる。制御部４３は、その各部のうち、例えば、表示部４４を前記と同様に制御する。
【００９０】
また、制御部４３は、撮影手段５０、報知部２２、及び制御手段４０を構成する各部（解析部４１、判定部４２、保管部４６等）を必要に応じて適宜制御することができる。
【００９１】
また、制御部４３は、報知部２２に向けて報知部作動信号が出力した場合、保管手段６０等にその報知部作動信号の送信履歴を保管させてもよい。その場合、所定のイベントが発生したと判定された時の、撮影手段５０の識別情報、所定のイベントの種類、イベントが発生した日時等が送信の履歴に対応付けられて保管される。
【００９２】
また、報知部作動信号の出力が、イベント発生情報に基づく場合、保管手段６０等には、例えば、操作部２１の識別情報、撮影手段５０の識別情報、所定のイベントの種類、操作入力がされた日時、イベントが発生した日時等が送信の履歴に対応付けられて保管される。また、この場合、所定のイベントの発生の情報が選択的に保管されてもよい。
【００９３】
〈表示部４４〉
表示部４４は、撮影手段５０から出力された検知映像情報に基づくライブ映像又はイベント検知映像情報に基づく検知映像が表示可能なように構成される。表示部４４は、映像を表示可能な構成を備えていれば、どのようなものであってもよい。表示部４４は、例えば、カラー映像を表示可能な構成を備えることが好ましい。表示部４４は、この発明の「第１の表示部」に相当する。
【００９４】
表示部４４は、報知情報（例えば、文字情報）を表示することで、報知部２２の機能を備えることもできる。また、表示部４４は、この表示と併せて図示しない音声再生部によって報知音が発せられるように構成されてもよい。この場合において、制御手段４０への報知部２２の接続を省略することができる。つまり、報知手段２０は、報知部２２を省略して構成することができる。また、ナースコールシステム１０における報知が、視覚に対する報知に限定される場合においても、報知部２２を省略することができる。
【００９５】
制御手段４０において、判定部４２から保管手段６０に向けて出力された検知映像情報に対して所定の処理を行うための保管部４６及び保管優先度付与部４７が備えられる。保管部４６は、撮影手段５０で継続的に生成された検知映像情報が逐次保管される一時保管部であって、必要に応じて設けられる。また、保管優先度付与部４７は、例えば、入力された検知映像情報のうち、イベント検知映像情報に対して保管優先度の値を付与する。
【００９６】
〈保管部４６〉
保管部４６には、撮影手段５０で生成された検知映像情報が一時的に保管される。制御部４３は、この検知映像情報を、イベント検知情報に基づいて取捨選択することができる。検知映像情報が取捨選択される具体例を以下に示す。
【００９７】
保管部４６には、例えば、撮影手段５０から出力された検知映像情報が逐次保管される。このとき、この保管と並行して、判定部４２において同時に所定のイベントの発生の有無が判定される。この判定において、所定のイベントが発生したと判定されると、イベント発生情報が制御部４３に出力される。制御部４３は、このイベント発生情報を受けて、保管部４６に保管された検知映像情報のうち、イベント検知映像情報以外の検知映像情報を削除する。この削除は、検知映像情報の生成時刻から第１所定時刻経過後においてイベントの発生が判定されなかった場合に実行される。また、イベントの発生の判定時刻から第２所定時刻が経過し、かつ新たなイベントが発生しない場合に、この削除は再開される。これにより、保管部４６にはイベント検知映像情報が選択的に残される。このイベント検知映像情報は、例えば、保管優先度付与部４７で保管優先度が付与された後に保管手段６０に保管される。
【００９８】
このように、保管部４６は、例えば、検知映像情報からイベント検知映像情報を特定する場合、検知映像情報に保管優先度を付与する場合の一時保管部として機能する。一方、保管部４６は、制御手段４０に備えられるので、情報の読み出し速度が保管手段６０よりも速い場合がある。そのため、保管部４６には、再生される可能性の高いイベント検知映像情報が保管されてもよい。
【００９９】
この場合、保管部４６に保管される映像情報は、高い保管優先度の値が付与されたイベント検知映像情報である。この映像情報に対応する「高い保管優先度の値」とは、例えば、後述で説明する図４の表に示される保管優先度の値「Ａ」及び「Ｂ」である。これら、保管優先度の値に対応するイベント名は、図４の表から「転倒」及び「転落」と特定される。つまり、「転倒」及び「転落」の発生を示すイベント検知映像情報は、保管手段６０にコピーされることで、保管部４６に残される。その他のイベント発生を示すイベント検知映像情報は保管手段６０に移動されることで、保管部４６から削除される。このように、保管部４６には、高い保管優先度の値が付与されたイベント検知映像情報が選択的に残されることで保管される。そのため、患者に対応の緊急性が高いイベントが発生した場合でも、医療従事者は、保管手段６０にアクセスすることなく保管部４６から読み出すことで、そのイベントに該当するイベント検知映像を表示部４４等において確認することができる。また、保管部４６の保管可能容量には限りがあるので、保管手段６０と同様に、前記の所定の条件に基づきこのイベント検知映像情報の削除又は移動が行われる。その場合、このイベント検知映像情報の移動先は、例えば、保管手段６０となる。
【０１００】
〈保管優先度付与部４７〉
保管優先度付与部４７は、判定部４２から受けたイベント発生情報と保管条件情報とに基づき、イベント検知映像情報を含む検知映像情報に保管優先度の値を付与して保管手段６０に出力する。この検知映像情報は、撮影手段５０から直接受けたものであっても、保管部４６を介して受けたものであってもよい。この場合、保管手段６０には、撮影手段５０で生成された検知映像情報の全てが保管されるものとする。
【０１０１】
ここで、「保管優先度の値」とは、保管手段６０に保管された検知映像情報のうち、保管が優先されるものの度合いを示す。これは、逆に言えば、削除又は移動が優先されるものの度合いを示すものでもあり、付与された保管優先度の値が低い検知映像情報から優先的に削除又は移動がされていく。また、保管優先度が同じである検知映像情報は、例えば、保管日時が古いものから順に削除又は移動が行われる。この度合いは、例えば、この検知映像情報の重要度、すなわち保管の必要性の高さに応じて決定される。保管の必要性の高さは、例えば、「検知映像情報にイベント動作情報が含まれるか否か」、「発生したイベントの種別」等によって決定される。保管優先度の値は、検知映像情報に付与されるが、イベント検知映像情報のみに付与されてもよい。
【０１０２】
「保管条件情報」は、イベント発生情報と、保管優先度の値との対応関係を示す。イベント発生情報は、イベント発生の有無を示す情報及び発生したイベントの種別の情報を含む。「保管条件情報」は、例えば、保管部４６に予め保管されている。
【０１０３】
図４は、「イベント発生の有無」及び「発生したイベントの種別」と付与される保管優先度の値との対応関係の一例を示した表である。
【０１０４】
図４に示すような対応関係において、イベント発生が無い場合に対して保管優先度の値が設定される。また、イベント発生がある場合の所定のイベントの種別として、図３に示したものと同様なイベント名が設定される。この対応関係において、イベント種別ごとに保管優先度の値が設定される。保管優先度の値は、値Ａ〜Ｚで示される。この対応関係における保管優先度の値のうち、保管優先度が最も高い値はＡであり、Ａからアルファベット順に保管優先度は低くなっていき、保管優先度が最も低い値はＺとなる。
【０１０５】
つまり、「イベント発生が無い」場合には、保管優先度が最も低い「Ｚ」の値が対応付けられる。一方で、イベント発生があり、かつそのイベントの種別が「転落」及び「転倒」に相当する場合には、「Ａ」及び「Ｂ」という高い保管優先度の値が対応付けられる。つまり、イベントの種別「転落」及び「転倒」に対応するイベント検知映像情報は保管の必要性が高い。
【０１０６】
「保管の必要性が高い」とは、例えば、そのイベント検知映像情報がその後に利用される可能性が高いことを示す。例えば、転倒によって検知対象の患者が負傷した場合、転倒時におけるイベント検知映像情報を保管し保護しておくことで、その後の負傷の治療の指針とすることができる。また、このイベント検知映像情報から、その転倒のプロセスを履歴として患者ごとに保管しておくことができ、この履歴を後に利用することができる。また、この転倒が医療事故として後に争いとなった場合、このイベント検知映像情報の保管を保護しておくことで、争いの場における証拠映像とすることができる。
【０１０７】
一方、この対応関係において、イベントの種別が「徘徊」である場合、保管優先度の値Ｃが対応付けられる。これは、「徘徊」の状態が、「起床」及び「離床」の状態に対して対応の緊急度が高く、また履歴として残す必要性が高いと判断される状態であるからである。また、「徘徊」時に偶発的な事故が起こった場合には、その後の検証等に利用することができる。また、複数のイベントが同時に発生した場合、その検知映像情報には、例えば、それらイベントに対応する保管優先度のうち一番高い値が付与される。
【０１０８】
また、保管条件情報は「イベント発生が無い」場合に対応する保管優先度の値を含まなくてもよい。この対応情報に基づき、保管優先度付与部４７は、イベント検知映像情報以外の検知映像情報に対し保管優先度の値を付与しない。この場合、図４に示す保管優先度「Ｚ」に対応する検知映像情報は、保管優先度の値が付与されない検知映像情報となる。また、前述した制御部４３によりイベント検知映像情報以外の検知映像情報が選択的に削除される場合にあっても、保管条件情報は「イベント発生が無い」場合に対応する保管優先度の値を含まなくてもよい。
【０１０９】
このように、後に活用したいイベント検知映像情報、履歴として残したいイベント検知映像情報等に、高い保管優先度の値が付与されることで、それらイベント映像情報が保管手段６０において保護される。
【０１１０】
［ナースコールシステム１０の全体構成］
次に、この実施形態のナースコールシステム１０の全体構成について説明する。図５は、この実施形態に係るナースコールシステム１０の全体構成の一例を示したブロック図である。ナースコールシステム１０が用いられる病院には、複数の患者が入院している。そのため、ナースコールシステム１０は病床数と同数の操作部２１を備え、それと同数の撮影手段５０を備える。
【０１１１】
図５に示すように、ナースコールシステム１０は、複数の撮影手段５０と制御手段４０とが入出力可能に接続されることで構成される。複数の撮影手段５０（５０ａ〜５０ｄ）は、通信線Ｌ１により、制御手段４０と情報の送受信（入出力）が可能となるように接続される。制御手段４０には、さらに保管手段６０及び報知部２２が接続される。保管手段６０は、制御手段４０と情報の送受信が可能となるように接続される。報知部２２は、制御手段４０から報知部２２に対し少なくとも情報の送信が可能となるように接続される。また、この図に示すナースコールシステム１０は、病床数が４つの場合について示しているが、この病床数に限定されるものではなく、適宜設定することができる（以下同様である）。
【０１１２】
図５に示すナースコールシステム１０と、図１に示すナースコールシステム１０との対応関係について、図５に示す撮影手段５０ａ及び操作部２１ａを一例として説明する。図５に示すナースコールシステム１０において、対応付けされた撮影手段５０ａと操作部２１ａとが、制御手段４０及び報知部２２と送受信可能に接続されることで、図１に示したナースコールシステム１０と同様な構成となる。また、撮影手段５０ｂ〜５０ｄと、操作部２１ｂ〜２１ｄとにおいても同様な対応付けがされることで同様に構成される。つまり、ナースコールシステム１０の全体構成は、対応付けされた複数組の撮影手段及び操作部が、制御手段４０及び報知部２２と送受信可能に接続されて構成される。
【０１１３】
保管手段６０又は保管部４６（以下、「保管手段６０等」という場合がある）には、例えば、病床番号と、撮影手段５０と、操作部２１との対応情報が予め保管される。この対応情報は、例えば、病床番号と、撮影手段５０と、操作部２１とにそれぞれ付与された識別子であるユニークＩＤ（以下、「ＵＩＤ」という場合がある）の対応関係により示される。
【０１１４】
図６は、病床番号に対応する撮影手段５０及び操作部２１の一例を示した表である。図６に示すように、この表には、病床毎に付与された病床番号（以下、「病床ＵＩＤ」という場合がある）と、撮影手段５０毎に付与された撮影手段ＵＩＤ（以下、単に「撮影手段ＵＩＤ」という場合がある）と、操作部２１毎に付与された操作部ＵＩＤ（以下、単に「操作部ＵＩＤ」という場合がある）との対応関係が示されている。
【０１１５】
判定部４２は、この対応関係に基づいて「病床が特定されたイベント発生情報」を制御部４３、保管手段６０等に出力する。「病床が特定されたイベント発生情報」には「病床を特定するための情報（病床番号等）」、「病床が特定されたイベント検知情報」が含まれる。制御部４３は、報知部２２及び表示部４４等に「病床を特定するための情報」等を出力する。また保管手段６０等には「病床が特定されたイベント検知情報」が出力される。
【０１１６】
報知部２２は、「病床を特定するための情報」を受けて病床を特定した報知（病床番号等の音声報知）を行う。表示部４４は、「病床を特定するための情報」を受けて病床を特定した表示（病床番号等の表示）を行う。これらにより、医療従事者は、イベントの発生がどの病床で起きたのかを認知することができる。保管手段６０は、「病床が特定されたイベント検知情報」を受けて病床の情報を付帯させたイベント検知情報を保管する。
【０１１７】
図６に示す表を用いて、判定部４２が「病床が特定されたイベント発生情報」を出力する場合の例について述べる。
【０１１８】
まず、第１の例として、撮影手段５０ａにおいて検知映像情報が生成される場合について述べる。この場合、その検知映像情報には撮影手段ＵＩＤ「５０」が付帯される。判定部４２は、その検知映像情報を受けると、付帯された撮影手段ＵＩＤ「５０」と対応情報とに基づいて、その検知映像情報に対応する病床番号「１」を特定する。判定部４２は、さらに、病床番号「１」の情報を含む情報を出力する。判定部４２は、例えば、病床番号「１」の情報を含む報知部作動信号（病床が特定された報知情報）を、報知部２２に向けて出力する。報知部２２は、その情報を受けて、「病床番号１」の音声を伴った報知を行う。判定部４２は、例えば、そのイベントに対応するイベント検知映像情報に病床番号「１」の情報を付帯させて表示部４４に向けて出力する。表示部４４は、その情報を受けて、イベント検知映像を病床番号「１」の文字とともに表示する。判定部４２は、例えば、そのイベントに対応するイベント検知映像情報に病床番号「１」を付帯させて（病床が特定されたイベント検知情報）保管手段６０に向けて出力する。保管手段６０は、その情報を受けて、イベント検知映像を病床番号「１」の文字情報とともに保管する。
【０１１９】
第２の例として、操作部２１ａから報知部作動信号が出力される場合について述べる。この場合、その信号には操作部ＵＩＤ「７０」が付帯される。判定部４２は、その信号を受けると、操作部ＵＩＤ「７０」と対応情報とに基づいて、その信号に対応する病床番号「１」及び撮影手段ＵＩＤ「５０」を特定する。判定部４２は、さらに、撮影手段ＵＩＤ「５０」に対応する撮影手段５０ａで生成された検知映像情報からイベント検知映像情報を生成する。判定部４２は、さらに、病床番号「１」の情報を含む情報を出力する。この情報の出力は、第１の例と同様に行われる。
【０１２０】
病床番号に対応付けられる識別子は、前記に挙げたものに限定されず、任意に設定することができる。例えば、患者、医療従事者等に同様に付与される識別子（患者ＵＩＤ、看護師ＵＩＤ、介護士ＵＩＤ、医師ＵＩＤ等）も、この対応情報における設定に用いることができる。このことは、以下に示される対応情報においても同様である。
【０１２１】
また、患者ＵＩＤと病床番号とが対応付けられる場合、その患者ＵＩＤに基づいて図３に示したイベント閾値の値を変更させてもよい。つまり、判定部４２は、特定の患者において発生しやすいイベントを特定し、その特定結果に基づきイベント閾値を標準値に対して増減させる。
【０１２２】
具体的に、判定部４２は、イベントの発生履歴から、所定の期間内に同じイベントが複数回発生している病床を特定する。判定部４２は、その病床番号から患者ＵＩＤを特定する。このイベントが、例えば「徘徊」の場合、そのイベント閾値を減らす変更を行う。具体的に「徘徊」のイベント閾値の標準値が「３」の場合、「徘徊」のイベント閾値を「１」に変更する。この変更は、例えば、イベントの種別に応じて行われる。具体的に、「転倒」等の対応の緊急度の高い（例えば、保管優先度の値が高い）イベントに関してはイベント閾値を減じる変更のみが行われ、「起床」等の対応の緊急度の低い（例えば、保管優先度の値が低い）イベントに関してはイベント閾値を増やす変更のみが行われる。
【０１２３】
また、判定部４２は、イベントの発生履歴の内容（発生したイベントの種別の組み合わせ等）から患者に対応した新たなイベント条件情報を生成させてもよい。その場合、そのイベント条件情報は、対応する患者ＵＩＤとともにイベント条件保管部４５に保管されてもよい。この患者は、例えば、イベントの発生における動作が特徴的である患者である。この「特徴的な動作」を「イベント動作情報」として、患者と対応付けることで、新たなイベント条件情報が生成される。このように、患者に応じて新たなイベント条件情報が生成され判定に用いられることで、病床ごとの患者の状態を、より適正に医療従事者に認識させることができる。
【０１２４】
また、患者ＵＩＤと病床番号とが対応付けられる場合、判定部４２はその患者ＵＩＤに基づいて図５に示した保管優先度の値を変更させてもよい。その一例として、イベント閾値の値を変更する場合と同様に、判定部４２は、イベントの発生履歴から、所定の期間内に同じイベントが複数発生している病床を特定する。判定部４２は、その病床番号から患者ＵＩＤを特定する。判定部４２は、その特定結果に基づき、そのイベントに対応する保管優先度の値を変更する。この変更は、例えば、イベントの種別に応じて行われ、例えば、「転倒」等の対応の緊急度の高いイベントに関しては保管優先度の値を増やす変更のみが行われ、「起床」等の対応の緊急度の低いイベントに関しては保管優先度の値を減らす変更のみが行われる。前記病床や患者を特定した複数の処理は、判定部４２の替わりに制御部４３が行ってもよい。
【０１２５】
［ナースコールシステム１０のハードウエア構成］
次に、前述した機能を実現するための、ナースコールシステム１０（主としてコンピュータ１００）のハードウエア構成について、図７を参照しつつ説明する。図７は、この実施形態に係るナースコールシステム１０のハードウエア構成の一例を示したブロック図である。
【０１２６】
〔コンピュータ１００〕
まず、前述した制御手段４０の機能を有するコンピュータについて説明する。コンピュータ１００は、一般的なコンピュータと同様に、マイクロプロセッサ１０１、主記憶装置１０２、外部記憶装置１０３、及び通信インターフェイス１０８を含んで構成される。なお、符号１０９は、これら各部を接続させるバスを示している。以下、コンピュータ１００のこれらの構成部分についてそれぞれ説明する。
【０１２７】
マイクロプロセッサ１０１は、ＣＰＵやＭＰＵ等の演算制御装置を含む。前述の制御手段４０の動作は、マイクロプロセッサ１０１によって実現される。主記憶装置１０２は、ＲＡＭ等のメモリ装置を含んで構成される。外部記憶装置１０３は、ＲＯＭやハードディスクドライブ等の記憶装置を含んで構成される。マイクロプロセッサ１０１による命令を受けて収集された情報は、例えば、主記憶装置１０２、外部記憶装置１０３に一時的に保管される。これら記憶装置の少なくともいずれかは、図２に示す保管部４６の一例に相当する。またこれら記憶装置の少なくともいずれかは、図２に示すイベント条件保管部４５の一例に相当する。
【０１２８】
外部記憶装置１０３には、コンピュータプログラム１０３ａがあらかじめ格納されている。マイクロプロセッサ１０１は、このコンピュータプログラム１０３ａを主記憶装置１０２上に展開して、この実施形態における特徴的な処理をナースコールシステム１０に実施させる。マイクロプロセッサ１０１は、前述の処理を行うことで、例えば、図２に示した、解析部４１、判定部４２、制御部４３、及び保管優先度付与部４７の機能を少なくとも備える。
【０１２９】
また、コンピュータ１００は必要に応じてコンソール１０４を有する。コンソール１０４は、例えば、医療従事者によって使用される。このコンソールは、表示部１０５と操作部１０６を含む。表示部１０５は、液晶（ＬＣＤ）ディスプレイ、有機ＥＬ（ＯＬＥＤ）ディスプレイ、電子ペーパー、ＣＲＴディスプレイなどの任意の表示装置を含んで構成される。この表示部１０５は、例えば、図２に示した表示部４４の機能を備える。また、操作部１０６は、キーボード、マウス、トラックボール、ジョイスティック、操作卓等の任意の操作装置や入力装置を含んで構成される。また、表示部１０５としては、操作部１０６を含んだものであってもよく、これは、例えば、タッチパネルディスプレイが挙げられる。このタッチパネルディスプレイは、医療従事者の指、タッチペンなどによって操作される。操作部１０６は、例えば、図２に示した操作部２１の機能を備える。
【０１３０】
通信インターフェイス（Ｉ／Ｆ）１０８は、ＬＡＮカード等のネットワークアダプタ（ＮＩＣ）や、インターネットに接続させるためのモデムなどの任意の通信装置を含んで構成される。
【０１３１】
コンピュータ１００には、通信インターフェイス１０８を介してナースコール子機２１０、ナースコール親機２２０、撮影装置５００、及び外部ネットワークＮ１が接続される。接続されるこれらの機器にも、図示しない通信インターフェイスが設けられており、その構成は、例えば、通信インターフェイス１０８と同様に構成される。
【０１３２】
撮影装置５００は、前述した撮影手段５０の機能を有していれば、どのようなものであってもよい。撮影装置５００は、例えば、前記に挙げた撮影装置を適宜選択して用いることができる。撮影装置５００で生成された検知映像情報は、通信インターフェイス１０８を介して、例えば、主記憶装置１０２に送信され、マイクロプロセッサ１０１において処される。撮影装置５００は、例えば継続的に検知映像情報を生成し、主記憶装置１０２に逐次送信する。マイクロプロセッサ１０１は、この検知映像情報を前述したアルゴリズム等に基づいて逐次処理することで、所定のイベントの発生の判定をリアルタイムで行う。また、検知映像情報は、外部記憶装置１０３にさらに送信されることにより、外部記憶装置１０３に検知映像情報が継続的に記録される。
【０１３３】
撮影装置５００は、検知装置の一形態であって、検知装置はこの形態に限定されるものではない。例えば、撮影装置５００が、動体検知センサで構成されることで、検知情報が生成されるようにしてもよい。この検知情報は、さらにコンピュータ１００で処理されることで、同様に所定のイベントの発生が検知される。この形態の詳細は第３の実施形態で述べる。
【０１３４】
ナースコール子機２１０と、ナースコール親機２２０とには、それぞれに図示しない通信インターフェイスが設けられる。これら通信インターフェイスは、通信インターフェイス１０８と接続される。それにより、コンピュータ１００は、通信インターフェイス１０８を介してナースコール子機２１０からの信号が受信（入力）され、ナースコール親機２２０に制御信号を送信（出力）させることができる。
【０１３５】
また、コンピュータ１００は、通信インターフェイス１０８によって外部ネットワークＮ１に接続される。この外部ネットワークＮ１には、例えば、ファイルサーバ（ＮＩＳサーバ、ＦＴＰサーバ等）、画像サーバ（ＰＡＣＳサーバ等）、メールサーバ（ＰＯＰ３サーバ、ＳＭＴＰサーバ等）、ＷＥＢサーバ等（ＨＴＴＰサーバ等）が送受信（入出力）可能に接続される。コンピュータ１００は、必要に応じてこれらサーバに接続されることで、外部と情報の入出力を行うことができる。
【０１３６】
［ナースコールシステム１０の使用形態］
次に、この実施形態のナースコールシステム１０の使用形態について説明する。図８は、ナースコールシステム１０の使用形態の一例を示したフローチャートである。この使用形態の説明は図２に示した構成を適宜用いる。
【０１３７】
図８に示すように、撮影手段５０は、予め設定された所定の範囲の撮影を開始する（ステップＳ００１）。なお、撮影は患者が入院して最初に病床に来たときなどに開始される。ただし、撮影手段５０は、個々の病床に患者が対応付けられているか否かにかかわらず撮影を行っていても良い。この撮影が継続的に行われることで、検知映像情報が継続的に生成され、検知映像情報はその生成毎に制御手段４０に出力される。
【０１３８】
次に、制御手段４０は、撮影手段５０で生成された検知映像情報を取得する（ステップＳ００２）。
【０１３９】
判定部４２は、取得された検知映像情報を、保管部４６に一時的に全て保管させる（ステップＳ００３）。判定部４２は、取得された検知映像情報を、解析部４１にも出力する。解析部４１は、取得した検知映像情報を解析し、その解析結果を判定部４２に出力する。この解析は、前述したアルゴリズム等を用いて行われ、これにより、患者（被検知者）の動作情報が生成される。判定部４２は、解析部４１から受けた解析結果に対し、前述したマッチング処理等をすることで所定のイベントの発生の判定を行う（ステップＳ００４）。これにより、その検知映像情報に含まれる患者の動作情報がイベント動作情報と合致するか否かが判定される。この判定においては、必要に応じてイベント閾値が設定され、イベントの重要度に応じて設定される。
【０１４０】
判定部４２において、所定のイベントが発生したと判定された場合（ステップＳ００５：ＹＥＳ）、制御部４３は、報知部２２へ通知を行う（ステップＳ００６）。この場合の「通知」とは、報知部２２に向けて報知部作動信号を出力することである。その処理と並行して、所定のイベントの発生前後の検知映像情報であるイベント検知映像情報が優先保管され、この処理は終了する（ステップＳ００５：ＹＥＳ、ステップＳ００７）。ここで、「優先保管」とは、イベント検知映像情報に保管優先度の値を付与して保管手段６０に保管することをいう。
【０１４１】
また、判定部４２において、所定のイベントが発生したと判定されない場合（ステップＳ００５：ＮＯ）、保管部４６に保管された検知映像情報は削除され（ステップＳ００８）、処理は終了する。
【０１４２】
また、この図に示した処理における終了は、撮影手段５０において生成された所定の時間における映像に関するものである。すなわち、所定期間の映像に関し一連の処理が終了した後、さらに撮影手段５０において検知映像情報が生成されると、ステップＳ００２〜Ｓ００８の処理が再開される。
【０１４３】
［ナースコールシステム１０の作用、効果］
この実施形態のナースコールシステム１０によれば、所定のイベントが発生したと判定された場合に、保管手段６０にイベント検知映像情報が保管され保護される。これにより、履歴として活用したいイベント検知映像情報を、所定のイベントの発生の判定に基づいて自動的に保管手段６０に保管させることができる。その結果、例えば、病院内の患者の転倒事故等により後に争いになった場合に、保管されたイベント検知映像情報から、転倒事故発生当時の前後状況を把握することができ、正当な判断の助けとすることができる。また、イベント検知映像情報に含まれる患者の動作情報をイベント発生後の治療の指針とすることも可能である。さらに、保管手段６０が、保管手段６０に保管された情報を自動的に削除する機能を備える場合であっても、イベント検知映像情報はその保管優先度に基づき保護されるので、重要なイベント検知映像情報が自動的に削除されることを防ぐことができる。これにより、保管手段６０に保管された後に活用したいイベント検知映像情報を長期間に亘って保管することができる。
【０１４４】
＜第２の実施形態＞
［ナースコールシステム１０］
この実施形態に係るナースコールシステムの構成を、図を参照して説明する。この説明は、ナースコールシステムの機能的構成、ナースコールシステムの全体構成、及びこの機能的構成を実現するためのハードウエア構成の順に記載される。
【０１４５】
［ナースコールシステム１０の機能的構成］
図９及び図１０は、この実施形態に係るナースコールシステムの一例を示した機能ブロック図である。図１０は、図９に示すナースコールシステム１０の詳細構成の一例を示す。図中破線矢印部は、無線による接続を示し、以下において同様とする。
【０１４６】
図９に示すように、ナースコールシステム１０は、制御手段４０に、無線通信手段３０が備えられることで、携帯通信端末７０と情報の出入力（送受信）が可能に構成される。それ以外は、第１の実施形態のナースコールシステムと同様な構成を備える。
【０１４７】
〈無線通信手段３０〉
図１０に示すように、無線通信手段３０は、制御部４３と情報の送受信が可能に設けられる。無線通信手段３０は、制御部４３に制御されることで携帯通信端末７０と通信を行う。無線通信手段３０は、無線通信が可能な機能を備えていれば、どのようなものであってもよい。無線通信手段３０は、例えば、無線通信として前記に挙げた通信形態を適宜用いることができる。
【０１４８】
〈制御部４３〉
制御部４３は、報知部２２に向けて報知部作動信号が出力された場合に、無線通信手段３０を介して、この出力があったことを示す情報を携帯通信端末７０に送信（出力）する。この出力があったことを示す情報は、出力された報知部作動信号の種別を示す情報を含んでもよい。報知部作動信号の種別としては、操作部２１による操作に基づく信号、所定のイベントの発生の判定に基づく信号が挙げられる。また、この出力の情報は、図６に示す対応情報に基づいて報知部作動信号から特定された患者情報を含んでもよい。
【０１４９】
〈操作部２１〉
操作部２１には、通話部２１Ａが設けられる。通話部２１Ａは、制御部４３及び無線通信手段３０を介して、携帯通信端末７０と音声情報が入出力可能となるように構成される。通話部２１Ａは、例えば、音声を収集する手段と音声を出力する手段とを組み合わせたものを少なくとも備える。これらの具体例としては、マイクとスピーカーとの組み合わせ等が挙げられる。
【０１５０】
〔携帯通信端末７０〕
携帯通信端末７０は、ナースコールシステム１０と無線通信により接続されることで情報の送受信が可能に構成される。携帯通信端末７０は、通話部７０Ａ、表示部７０Ｂ、及び操作部７０Ｃを備える。携帯通信端末７０は、制御手段４０から、例えば、イベント発生情報、イベント検知映像情報、検知映像情報等を受信することができ、これら情報に基づいて表示部７０Ｂに文字、映像を表示させることができる。
【０１５１】
携帯通信端末７０としては、例えば、携帯通信端末として前記に挙げたものを適宜選択することができるが、映像の表示及び通話が可能な、携帯電話、スマートフォン等であることが好ましい。
【０１５２】
《通話部７０Ａ》
通話部７０Ａは、通話部２１Ａと音声情報が入出力可能となるように構成される。通話部７０Ａは、例えば、通話部２１Ａと同様に構成される。
【０１５３】
《表示部７０Ｂ》
表示部７０Ｂは、制御手段４０から出力された各種情報を表示可能に構成される。また、表示部７０Ｂには、撮影手段５０で撮影中の患者のライブ映像を表示させることもできる。また、通話部７０Ａと表示部７０Ｂとは同時使用が可能に構成される。これにより、端末操作者である医療従事者（例えば、看護師）が通話部７０Ａを用いて患者と通話する際に、表示部７０Ｂに表示された患者のライブ映像を参照しながら通話をすることができる。その結果、医療従事者は、患者と離れた場所にいても、患者の状況を視覚と聴覚とによって確認することができる。表示部７０Ｂは、この発明の「第２の表示部」に相当する。
【０１５４】
《操作部７０Ｃ》
操作部７０Ｃは、携帯通信端末７０に含まれる図示しない制御部に対し、操作入力に基づく制御をさせる。操作入力は、例えば、医療従事者が、表示部７０Ｂに表示された処理の一覧から特定の処理を選択することであり、制御は当該選択により実行される。
【０１５５】
その一例として、制御手段４０から携帯通信端末７０に対しイベント発生情報が送信された場合、携帯通信端末７０の表示部７０Ｂには、処理の選択を促す表示がされる。この処理の選択は、例えば、ライブ映像を参照しながら所定のイベントの発生があったと判定された患者と通話するための処理、イベント検知映像を確認するための処理等が挙げられる。
【０１５６】
［ナースコールシステム１０の全体構成］
次に、この実施形態のナースコールシステム１０の全体構成について説明する。図１１は、この実施形態に係るナースコールシステム１０の全体構成の一例を示したブロック図である。
【０１５７】
図１１に示すように、制御手段４０には、複数の携帯通信端末７０ａ〜７０ｄが送受信可能に接続される。それ以外の構成は第１の実施形態と同様である。携帯通信端末７０ａ〜７０ｄと、撮影手段５０ａ〜５０ｄと、操作部２１ａ〜２１ｄとは、前述と同様に対応付けされる。これにより、例えば、撮影手段５０ａに対応する構成は、図９に示した構成と同様となる。
【０１５８】
保管手段６０等には、例えば、病床番号と、撮影手段５０と、操作部２１と、携帯通信端末７０との対応情報が予め保管される。この対応情報は、それぞれに付与された識別子（ＵＩＤ）の対応関係により示される。
【０１５９】
図１２は、病床番号に対応する撮影手段５０、操作部２１、及び携帯通信端末７０の一例を示した表である。図１２に示すように、この対応表には、病床番号と、撮影手段ＵＩＤと、操作部ＵＩＤと、携帯通信端末７０毎に付与された携帯通信端末ＵＩＤ（以下、単に「携帯通信端末ＵＩＤ」という場合がある）との対応関係が示されている。
【０１６０】
制御手段４０はこの対応関係に基づいて、「イベント発生情報」を送信する携帯通信端末７０を特定し、特定された携帯通信端末７０に向けて「イベント発生情報」、「イベント検知映像情報」等を送信する。特定された携帯通信端末７０は、これら情報を受けて、例えば、表示部７０Ｂに「イベント検知映像情報」基づく映像を表示する。
【０１６１】
図１２に示す表を用いて、制御手段４０が、特定の携帯通信端末７０にイベント発生情報を出力する場合の例について述べる。
【０１６２】
まず、第１の例として、撮影手段５０ａにおいて検知映像情報が生成される場合について述べる。この場合、その検知映像情報には撮影手段ＵＩＤ「５０」が付帯される。制御手段４０は、その検知映像情報を受けると、付帯された撮影手段ＵＩＤ「５０」と対応情報とに基づいて、その検知映像情報に対応する病床番号「１」及び携帯通信端末ＵＩＤ「１１０」を特定する。制御手段４０は、所定のイベントが発生したと判定された場合、携帯通信端末ＵＩＤ「１１０」に対応する携帯通信端末７０ａに向けて、病床番号「１」の情報を付帯させたイベント検知映像情報等を出力する。
【０１６３】
第２の例として、操作部２１ａから報知部作動信号が出力される場合について述べる。この場合、その信号には操作部ＵＩＤ「７０」が付帯される。制御手段４０は、その信号を受けると、操作部ＵＩＤ「７０」と対応情報とに基づいて、その信号に対応する病床番号「１」、撮影手段ＵＩＤ「５０」、携帯通信端末ＵＩＤ「１１０」を特定する。制御手段４０は、その信号を受けた場合、撮影手段ＵＩＤ「５０」に対応する撮影手段５０ａで生成された検知映像情報からイベント検知映像を生成させる。制御手段４０は、さらに、そのイベント検知映像情報に病床番号「１」の情報を付帯させて携帯通信端末７０ａに向けて出力する。携帯通信端末７０ａは、その情報を受けて、表示部７０Ｂにイベント検知映像を病床番号「１」の文字とともに表示させる。
【０１６４】
この実施形態のナースコールシステム１０は、制御手段４０を介して携帯通信端末７０に報知を行わせることができる。そのため、ナースコールシステム１０の構成から、報知部２２を廃することもできる。
【０１６５】
［ナースコールシステム１０のハードウエア構成］
次に、前述した機能を実現するための、ナースコールシステム１０（主としてコンピュータ１００）のハードウエア構成について、図１３を参照しつつ説明する。図１３は、この実施形態に係るナースコールシステム１０のハードウエア構成の一例を示したブロック図である。
【０１６６】
この実施形態のナースコールシステム１０のハードウエア構成は、複数の携帯通信端末が無線通信インターフェイス（Ｉ／Ｆ）１１１を介して通信可能に接続される。それ以外は、第１の実施の形態のナースコールシステム１０と同様な構成を有する。
【０１６７】
無線通信インターフェイス１１１は、コンピュータ１００と携帯通信端末７００とを少なくとも接続するインターフェイスである。無線通信インターフェイス１１１は、図１３に示すように、例えば、通信インターフェイス１０８とは独立して備えられる。また、通信インターフェイス１０８は、無線通信インターフェイス１１１を兼ねるような構成としてもよい。この無線通信インターフェイス１１１によって、例えば、図９に示すような無線通信手段３０の機能が実現される。
【０１６８】
携帯通信端末７００は、通話部７０Ａの機能を備える図示しない通話装置、表示部７０Ｂの機能を備える図示しない表示装置、及び操作部７０Ｃの機能を有する図示しない操作装置を備える。
【０１６９】
無線の通信形態は、例えば、前記したように、端末、機器が並列に通信されるアドホックモードであってもよいし、また、例えば、コンピュータ１００を親機として、端末、機器を子機としたインフラストラクチャモードであってもよい。この無線通信インターフェイス（Ｉ／Ｆ）１１１としては、ＩＥＥＥ  ８０２．１１シリーズ、ＩＥＥＥ  ８０２．１５シリーズ等に準拠した無線ＬＡＮ等が挙げられる。
【０１７０】
また、このハードウエア構成から、報知部２２に対応するナースコール親機２２０の構成を廃することもできる。
【０１７１】
［ナースコールシステム１０の使用形態］
次に、この実施形態のナースコールシステム１０の使用形態について説明する。図１４は、ナースコールシステム１０の使用形態の一例を示したフローチャートである。この使用形態の説明は、図８に示したフローチャート及び図１０に示した機能ブロックを適宜用いる。
【０１７２】
図１４に示すように、このフローチャートは、図８に示した処理において、所定のイベントの発生の判定がされた時、制御手段４０は、その報知を携帯通信端末７０のみに対して行う処理を示している。
【０１７３】
ステップＳ０１１〜ステップＳ０１５の処理は、図８に示したフローチャートのステップＳ００１〜ステップＳ００５の処理と同様に行われる（ステップＳ０１１〜Ｓ０１５）。
【０１７４】
判定部４２において、所定のイベントが発生したと判定された場合（ステップＳ０１５：ＹＥＳ）、制御部４３は、携帯通信端末７０へ通知を行う（ステップＳ０１６）。この場合の「通知」とは、イベント発生情報を、無線通信インターフェイス１１１を介して携帯通信端末７０に出力することである。携帯通信端末７０は、この通知を受けて所定のイベントの発生を外部に報知する。この報知は、人間の五感を対して行うものであれば、どのような形態であってもよいが、例えば、音、文字、映像、振動等によって行われる。制御部４３は、この処理と並行して、所定のイベントの発生前後の検知映像情報である「イベント検知映像情報」を保管手段６０等に優先保管する（ステップＳ０１５：ＹＥＳ、ステップＳ０２０）。
【０１７５】
端末操作者は、その報知を受けて次の処理の選択を行う。この選択は、端末操作者が操作部７０Ｃを用いることで行われる。次の処理として「患者の現状確認をする」が選択された場合（ステップＳ０１７：ＹＥＳ）、制御手段４０は、対応する撮影手段５０で生成された患者を含む映像を、表示部７０Ｂにリアルタイムで表示させる。さらに、端末操作者は必要に応じて通話部７０Ａを用いて患者と通話して（ステップＳ０１８）、ステップＳ０１９に進む。一方で、端末操作者が患者の現状を確認しない場合（ステップＳ０１７：ＮＯ）、ステップＳ０１９に進む。
【０１７６】
ステップＳ０１９は、次の処理として「イベントの前後状況の確認」が選択されたか否かを判定する。この場合、「イベントの前後状況」とは、イベント前後における映像情報である。
【０１７７】
イベントの前後状況を確認する場合（ステップＳ０１９：ＹＥＳ）、ステップＳ０２０において保管手段６０等に保管された「イベント検知映像情報」を取得し、それに基づく「イベント検知映像」を表示部７０Ｂに表示させて処理は終了する（ステップＳ０２１）。また、必要に応じて、ステップＳ０１７〜Ｓ０１８と、ステップＳ０１９とは入れ替えることができる。
【０１７８】
一方、判定部４２において、所定のイベントの発生が判定されない場合（ステップＳ０１５：ＮＯ）、保管部４６に保管された検知映像情報は削除され、処理は終了する（ステップＳ０２２）。
【０１７９】
前記処理において、携帯通信端末７０を制御手段４０に読み替えて処理を行うこともできる。例えば、制御手段４０に図示しない操作部が設けられることにより、前記同様に処理の選択が行われ、表示部４４に患者の状況を表示させることができる。また、制御手段４０に、図示しない通話部が設けられることにより、操作者は、表示部４４に患者の状況を表示しながら患者と通話をすることができる。
【０１８０】
また、この実施形態のナースコールシステム１０において、報知部２２及び携帯通信端末７０にイベント発生情報を出力させることもできる。その場合、図１４に示した処理のステップＳ０１５がＹＥＳの場合の処理は、例えば、図８に示した報知部２２への報知の処理（ステップＳ００６）と並行して行われる。
【０１８１】
この実施形態のナースコールシステム１０の使用形態のその他は、第１の実施形態のナースコールシステム１０の使用形態と同様である。
【０１８２】
＜実施例＞
図１５は、この実施の形態のナースコールシステム１０の、実施例に係るナースコールシステムの使用形態を示したフローチャートである。このナースコールシステム１０は、各機能に対応したハードウエアを用いて構成される。このハードウエアとしては、例えば、図１３に示した構成が挙げられる。実施例に係る動作の流れの説明は、この図１３を適宜参照して順を追って説明する。
【０１８３】
まず、撮影装置５００で撮影した映像データをコンピュータ１００に送信する（ステップＳ０４０）。
【０１８４】
次に、コンピュータ１００において取得された映像の解析を行い、所定のイベントが発生したという判定を行うと、携帯通信端末７００にそのイベントの発生を通知する（ステップＳ０４１）。この場合における、「通知」とは、イベント発生情報を、無線通信インターフェイス１１１を介して携帯通信端末７０に出力することである。
【０１８５】
次に、携帯通信端末７００は、表示画面に通知（イベント発生情報）を受信したことを表示する。この表示は、例えば、アイコンをポップアップすることにより行われる（ステップＳ０４２）。
【０１８６】
次に、携帯通信端末７００を操作する端末操作者は、イベント発生情報受信の表示に含まれる「映像を見るボタン」をクリック、タップ等で選択する（ステップＳ０４３：ＹＥＳ）と、表示画面には、撮影装置５００で撮影された患者のライブ映像が表示され処理は終了する（ステップＳ０４６）。
【０１８７】
また、「映像を見るボタン」を選択せずに（ステップＳ０４３：ＮＯ）、同様に含まれる「状態を見るボタン」を選択する（ステップＳ０４４）と、判定されたイベントに対応する種別を表示画面に表示する（ステップＳ０４５）。さらに、表示画面には、撮影装置５００で撮影された患者のライブ映像が表示され（ステップＳ０４６）、この処理は終了する。
【０１８８】
［ナースコールシステム１０の作用、効果］
この実施形態のナースコールシステム１０は、報知手段として携帯通信端末７０を備えること以外は第１の実施形態と同様に構成されている。そのため、第１の実施の形態と同様な作用効果を奏する。さらにこの実施形態のナースコールシステム１０を利用する医療従事者は、例えば、患者と遠く離れている場所にいても、患者の容態の急変等を、携帯通信端末７０を通じて知ることができる。また、携帯通信端末７０について、患者の検知映像を表示可能とし、さらに患者との通話を可能に構成することで、遠くに離れている場所においても、患者の状況を、視認及び通話を通じて把握することができる。
【０１８９】
＜第３の実施形態＞
［ナースコールシステム１０］
この実施形態に係るナースコールシステムの構成を、図を参照して説明する。この説明は、ナースコールシステムの機能的構成、ナースコールシステムの全体構成、及びこの機能的構成を実現するためのハードウエア構成の順に記載される。
【０１９０】
［ナースコールシステム１０の機能的構成］
図１６及び図１７は、この実施形態に係るナースコールシステムの一例を示した機能ブロック図である。図１７は、図１６に示したナースコールシステム１０の詳細構成の一例を示す。
【０１９１】
図１６及び図１７に示すように、ナースコールシステム１０は、検知手段としてマイクロ波ドップラーセンサ８０を備える。それ以外は、第２の実施形態のナースコールシステムと同様な構成を有する。
【０１９２】
〔マイクロ波ドップラーセンサ８０〕
マイクロ波ドップラーセンサ８０は継続的に検知対象者である患者の体動データ(呼吸状態、生活リズム)を生成する。マイクロ波ドップラーセンサ８０は、図示しない送信アンテナ（送信部）と受信アンテナ（受信部）と位相検波器とを備える。
【０１９３】
送信アンテナは、ある周波数を持った発振器と接続され、検知対象に対し電波を送信する。受信アンテナは、検知対象から反射された電波（反射波）を受信し、位相検波器に出力する。位相検波器は、送信された電波を示す信号と受信された電波を示す信号とを合成する。この合成により、位相検波器からの出力される信号は、送信された電波と受信された電波とが同位相の場合に最大となり、逆位相の場合に最小となる。そのため、検知対象が移動している場合、位相検波器から出力される信号には、電波干渉縞が現れる(ドップラーシフト効果)。このようにマイクロ波ドップラーセンサ８０は、ドップラーシフト効果を利用することにより体動検知を可能とする。マイクロ波ドップラーセンサ８０によって検知される患者の体動としては、例えば、呼吸状態、心拍状態等が挙げられる。
【０１９４】
マイクロ波ドップラーセンサ８０による体動検知は、患者の体表等（例えば、胸部を含む部分）において反射した電波を受信することで行われる。この体動検知において用いられる電波は衣服、布団等を透過する。そのため、この体動検知は、衣服、布団等の動作から受ける影響が小さく、布団、衣服等の患者以外の物体が落下を体動として検知することが少ない。そのため、患者の体動を選択的に検知することができる。
【０１９５】
《制御手段４０》
制御手段４０の全体構成は、第１又は第２の実施の形態と同様に構成されるが、必要に応じて、検知情報を特定する解析部４１を省略して構成されてもよい。これは、マイクロ波ドップラーセンサ８０において体動情報が生成されるからである。また、制御手段４０は、判定部４２を備える。判定部４２は、マイクロ波ドップラーセンサ８０で生成された体動情報から所定のイベントを判定する。
【０１９６】
〈判定部４２〉
判定部４２による所定のイベントは、例えば、ＦＦＴ解析、ウェーブレット解析等の公知の周波数解析により行われる。この解析は、例えば、信号の周波数的な特徴から呼吸に関する体動周波数が特定され、この体動周波数から呼吸状態が推定されることで行われる。判定部４２は、例えば、この体動周波数がある一定の周波数範囲内であるか否かを判定する。判定部４２は、ある一定の周波数範囲を外れる体動周波数を検知した場合に、所定のイベントの発生と判定する。この判定がなされる体動周波数の具体例としては、非常に低い周波数である無呼吸状態の体動周波数及び非常に高い周波数である過呼吸状態の体動周波数が挙げられる。
【０１９７】
また、判定部４２は、この解析において非常に大きな信号変動があった場合、検知対象に呼吸以外の動作（寝返り等）、体動等があったものと判定する。大きな信号変動の判定は、例えば、信号の時間的微分値に対して閾値を設けることで行われる。
【０１９８】
また、判定部４２による所定のイベントの発生の判定は、特定の動作として前記に例示したものの体動情報と、マイクロ波ドップラーセンサ８０から受けた患者の体動情報とをマッチングさせることにより行われてもよい。
【０１９９】
〈制御部〉
制御部４３は、所定のイベントの発生の検知がされると、所定のイベントの発生前後の体動情報である「イベント検知体動情報」を保管手段６０等に優先保管させる。「イベント検知体動情報」とは、所定のイベントの発生を示す体動を含む体動情報である。所定のイベントの発生を示す体動を含む体動情報とは、イベント発生時刻を含む所定時間においてマイクロ波ドップラーセンサ８０で生成された体動情報である。この所定時間の始点は、例えば、イベント発生時刻から第１所定時間遡った時刻であり、終点はイベント発生時刻から第２所定時間経過後の時刻である。また、例えば、操作部２１による操作入力が制御部４３に入力した時刻をイベント発生時刻として、前記したものと同様に所定の時間の体動情報を生成させてもよい。
【０２００】
また、ナースコールシステム１０は、検知手段を複数備えてもよい。この場合、例えば、複数の検知手段として撮影手段５０と、マイクロ波ドップラーセンサ８０とが用いられる。撮影手段５０及びマイクロ波ドップラーセンサ８０は、対応する患者を監視してその動作情報をそれぞれ生成する。複数の検知手段で生成された患者の動作情報が制御手段４０で解析されることで、所定のイベントの発生が判定される。複数種類の検知手段で検知が行われることで、所定のイベントの発生の判定の精度を高めることができる。
【０２０１】
また、複数の検知手段として撮影手段５０と、マイクロ波ドップラーセンサ８０とが用いられる場合、制御手段４０は、検知手段のうちのいずれかを用いて、患者の動作情報を生成する。この場合、例えば、マイクロ波ドップラーセンサ８０で検知した検知情報に基づいて所定のイベントの発生の判定が行われる。このとき、撮影手段５０で生成された検知映像情報は、所定のイベントの発生が判定されたことに伴うイベント検知映像の表示にのみ用いられる。この場合、制御手段４０は、画像解析をしないので、制御手段４０として用いるコンピュータ等の負荷を軽減させることができる。
【０２０２】
また、別の検知手段で検知された検知情報に基づいて、イベント発生時刻を、制御手段４０において検知映像情報の解析を行うトリガーとしてもよい。これは、例えば、所定のイベントの発生が判定された場合、その発生時刻を含む動画を保管手段６０から取得し、この動画が制御手段４０において解析されることで、所定のイベントの発生が検証される。これにより、制御手段４０は、常時画像解析をしないので、制御手段４０として用いるコンピュータ等の負荷を軽減させることができる。
【０２０３】
この実施形態のナースコールシステム１０は、制御手段４０を介して携帯通信端末７０に報知を行わせることができる。そのため、ナースコールシステム１０の構成から、報知部２２を廃することもできる。
【０２０４】
［ナースコールシステム１０の全体構成］
次に、この実施形態のナースコールシステム１０の全体構成について説明する。図１８は、この実施形態に係るナースコールシステム１０の全体構成の一例を示したブロック図である。
【０２０５】
図１８に示すように、制御手段４０には、検知手段として複数のマイクロ波ドップラーセンサ８０が接続される。マイクロ波ドップラーセンサ８０ａは、操作部２１ａと、携帯通信端末７０ａとに対応付けられており、制御手段４０と入出力可能に接続されることで、図１６に示したナースコールシステム１０と同様に構成される。これは、マイクロ波ドップラーセンサ８０ｂ〜８０ｄに対応付けられる場合においても同様である。
【０２０６】
図１９は、病床番号に対応するマイクロ波ドップラーセンサ８０、操作部２１及び携帯通信端末７０の一例を示した表である。
【０２０７】
図１９に示すように、この対応表は、病床番号と、マイクロ波ドップラーセンサ８０毎に付与されたＵＩＤ（以下、単に「マイクロ波ドップラーセンサＵＩＤ」という場合がある）と、操作部ＵＩＤと、携帯通信端末ＵＩＤとの対応関係が示されている。病床番号に対応付けられる対象は、これらに限定されるものではなく、例えば、図６及び図１２の表において示したものを適宜対応させることができる。
【０２０８】
所定の体動情報から所定のイベントが判定された場合、制御手段４０はマイクロ波ドップラーセンサ８０と携帯通信端末７０との対応関係から、対応する携帯通信端末７０にイベント発生情報等を送信することができる。制御手段４０は、さらに、その携帯通信端末７０を制御することで外部に報知させることができる。
【０２０９】
［ナースコールシステム１０のハードウエア構成］
次に、前述した機能を実現するための、ナースコールシステム１０（主としてコンピュータ１００）のハードウエア構成について、図２０を参照しつつ説明する。図２０は、この実施形態に係るナースコールシステム１０のハードウエア構成の一例を示したブロック図である。
【０２１０】
この実施形態のナースコールシステム１０のハードウエア構成は、検知手段として、複数の撮影装置５００に代えて複数のマイクロ波ドップラーセンサ８００が備えられている。その他の構成は、第２の実施形態のナースコールシステム１０と同様に構成されるが、第１の実施形態のナースコールシステム１０と同様に構成されてもよい。
【０２１１】
また、このハードウエア構成から、報知部２２に対応するナースコール親機２２０の構成を廃することもできる。
【０２１２】
［ナースコールシステム１０の使用形態］
次に、この実施形態のナースコールシステム１０の使用形態について説明する。図２１は、ナースコールシステム１０の使用形態の一例を示したフローチャートである。この使用形態の説明は、図１６に示したフローチャート及び図１６に示した機能ブロックを適宜用いる。
【０２１３】
図２１に示すように、このフローチャートは、図１４に示した処理において、検知手段をマイクロ波ドップラーセンサ８０としたものである。具体的にマイクロ波ドップラーセンサ８０で生成された体動情報から制御手段４０において所定のイベントの発生の判定が行われる。以下に、各ステップを追って詳しく説明する。
【０２１４】
マイクロ波ドップラーセンサ８０が患者に向けてマイクロ波を照射することで体動検知が開始される。この体動検知によって、例えば、患者の体動情報が継続的に生成され、その生成毎に制御手段４０に出力される（ステップＳ０６１）。
【０２１５】
次に、制御手段４０は、マイクロ波ドップラーセンサ８０から出力された患者の体動情報を取得する（ステップＳ０６２）。
【０２１６】
取得された体動情報は、保管部４６に一時的に全て保管される（ステップＳ０６３）。それと並行して、解析部４１が取得した体動情報を必要に応じて解析し、判定部４２が所定のイベントの発生を判定する。この処理により、検知対象の体動情報が取得される。検知対象は、病床に対応する患者である（ステップＳ０６４）。前記と同様にしてイベントの重要度に応じたイベント閾値が設定される場合、所定のイベントの判定はそのイベント閾値に応じて実行される。
【０２１７】
判定部４２において、所定のイベントが発生したと判定された場合（ステップＳ０６５：ＹＥＳ）、制御部４３は、携帯通信端末７０へ通知を行う（ステップＳ０６６）。この場合の「通知」とは、イベント発生情報を、無線通信インターフェイス１１１を介して携帯通信端末７０に出力することである。携帯通信端末７０は、この通知を受けて所定のイベントの発生を外部に報知する。この報知は、人間の五感を対して行うものであれば、どのような形態であってもよいが、例えば、音、文字、映像、振動等によって行われる。制御部４３は、この処理と並行して、所定のイベントの発生前後の体動情報である「イベント検知体動情報」を保管手段６０等に優先保管する（ステップＳ０６５：ＹＥＳ、ステップＳ０７０）。
【０２１８】
端末操作者は、その報知を受けて次の処理の選択を行う。この選択は、端末操作者が操作部７０Ｃを用いることで行われる。次の処理として「患者の現状確認をする」が選択された場合（ステップＳ０６７：ＹＥＳ）、端末操作者は、対応する撮影手段５０により生成された体動情報を、表示部７０Ｂにリアルタイムで表示させ（ステップＳ０６８）、ステップＳ０６９に進む。一方で、「患者の現状確認をする」が選択されない場合（ステップＳ０６７：ＮＯ）、ステップＳ０６９に進む。
【０２１９】
ステップＳ０６９は、次の処理として「イベントの前後状況の確認」が選択されたか否かを判定する。この場合、「イベントの前後状況」とは、イベント前後における体動情報である。
【０２２０】
「イベントの前後状況の確認」が選択された場合（ステップＳ０６９：ＹＥＳ）、ステップＳ０７０において保管手段６０等に保管された「イベント検知体動情報」を取得し、その「イベント検知体動情報」を表示部７０Ｂに表示させて処理は終了する（ステップＳ０７１）。また、必要に応じて、ステップＳ０６７〜Ｓ０６８と、ステップＳ０６９とは入れ替えることができる。
【０２２１】
また、判定部４２において、所定のイベントの発生が判定されない場合（ステップＳ０６５：ＮＯ）、保管部４６に保管された体動情報は削除され、処理は終了する（ステップＳ０７２）。
【０２２２】
［ナースコールシステム１０の作用、効果］
この実施形態のナースコールシステム１０によれば、第１又は第２の実施形態のナースコールシステムにおいて、検知手段を撮影手段５０に代えてマイクロ波ドップラーセンサ８０を設けた。そのため、第１及び第２の実施形態と同様な作用効果を奏するとともに、撮影手段５０において検知が難しい呼吸状態等の微小な体動を検知することができる。
【０２２３】
＜第４の実施形態＞
［ナースコールシステム１０］
この実施形態に係るナースコールシステムの構成を、図を参照して説明する。この説明は、ナースコールシステムの機能的構成、ナースコールシステムの全体構成、及びこの機能的構成を実現するためのハードウエア構成の順に記載される。
【０２２４】
［ナースコールシステム１０の機能的構成］
図２２及び図２３は、この実施形態に係るナースコールシステムの一例を示した機能ブロック図である。図２３は、図２２に示したナースコールシステム１０の詳細構成の一例を示す。
【０２２５】
図２２に示すように、この実施形態のナースコールシステム１０は、第１の実施形態のナースコールシステム１０の報知手段２０において、制御手段４０が中継手段９０に置き換えられた報知手段２５０を備える。この「置き換え」は、物理的に置き換えられてもよいし、中継手段９０の機能を追加し、制御手段４０を無効にすることで機能的に置き換えられてもよい。制御手段４５０は、報知手段２５０とは独立して備えられ中継手段９０と入出力可能に接続される。制御手段４５０は、制御手段４０と同様に構成することができるが、制御手段４０のうち保管部４６及び保管優先度付与部４７を含まない構成とすることができる。この実施形態のナースコールシステム１０は、保管手段６０を含まない構成とすることもできる。
【０２２６】
〔報知手段２５０〕
報知手段２５０は、操作者である患者により所定の操作入力がされることで、ナースステーションのような詰所に報知がなされるナースコール装置である。報知手段２５０は、操作部２１と、報知部２２と、中継手段９０とを含む。操作部２１と報知部２２とは、中継手段９０を介して、少なくとも操作部２１から報知部２２へ信号が出力可能に設けられる。
【０２２７】
例えば、操作部２１から報知部２２に向けて報知部作動信号が送信（出力）されると、その信号は、これら間に設けられた中継手段９０を介して報知部２２において受信（入力）される。その信号の入力により報知部２２が作動され、その信号に基づいて外部に報知がなされる。報知部作動信号は、例えば、患者による操作に基づいて送信される。この場合の報知部作動信号は、「第１の信号」に相当する。また、操作部２１及び報知部２２の構成は、第１の実施形態と同様に構成することができる。
【０２２８】
また、報知手段２５０は、従来公知のナースコール等の報知手段に、中継手段９０を設けることで構成することができる。図４１は、従来のナースコール装置１０００を示した機能ブロック図である。ナースコール装置１０００は、ナースコール親機１０１０とナースコール子機１０２０とが接続されることで構成される。ここで、ナースコール親機１０１０は報知部２２、ナースコール子機１０２０は操作部２１に相当する。
【０２２９】
この従来のナースコール装置１０００における、ナースコール子機１０２０とナースコール親機１０１０との間に、図２２に示す中継手段９０が設けられることで報知手段２５０が構成される。さらに、この中継手段９０に制御手段４５０を接続させることで、この実施形態のナースコールシステム１０を構成することができる。この制御手段４５０の構成は、例えば、第１〜第３の実施形態において述べた制御手段４０の構成から適宜選択することができる。
【０２３０】
前述の第１〜第３の実施形態においては、制御手段４０を中継手段９０に置き換え、中継手段９０に接続された制御手段４５０を更に備えることで、この実施形態のナースコールシステム１０を構成することができる。この場合、撮影手段５０は、制御手段４５０に接続される。また、操作部２１、報知部２２及び中継手段９０の間で行われる送信、受信は、無線通信であっても、有線通信であってもよい。
【０２３１】
《中継手段９０》
中継手段９０は、操作部２１から受けた信号を報知部２２に向けて出力する。また、中継手段９０には制御手段４５０が信号（情報）を送受信可能に接続される。中継手段９０は、制御手段４５０と入出力可能に接続される。これら入出力は、例えば、通信による送受信によって行われる。制御手段４５０には撮影手段５０が接続されている。撮影手段５０は継続的に患者の動作情報を含む情報を生成する。
【０２３２】
中継手段９０は経路切替手段の機能を備えていても、信号変換手段の機能を備えていても、その両方の機能を備えてもよい。
【０２３３】
また、図２３に示すように、制御手段４５０は、撮影手段５０から受けた検知映像情報に基づく検知映像を少なくとも表示する表示部４４と、入力された信号に基づいて表示部４４を少なくとも制御する制御部４３、判定部４２に接続されるイベント条件保管部４５とを備えている。
【０２３４】
〔制御手段４５０〕
制御手段４５０は、解析部４１及び判定部４２により処理されることで所定のイベントが発生したと判定されると、その判定結果を受けた送受信部４８は中継手段９０に対し報知部作動信号を送信する。その信号を受けた報知部２２が作動されることで外部への報知が行われる。その結果、例えばナースステーションにいる医療従事者はその患者に何らかの異常が起きたことを把握することができる。
【０２３５】
制御手段４５０は、解析部４１と、判定部４２と、送受信部４８とを少なくとも備え、さらに、制御部４３と、表示部４４とを備える。解析部４１、判定部４２、制御部４３、及び表示部４４は、制御手段４０において前述したものと同様に構成することができる。
【０２３６】
《送受信部４８》
送受信部４８は、中継手段９０に備えられた図示しない送受信部と送受信が可能に接続される。送受信部４８は、判定部４２から受けた判定結果に基づいて制御部４３に制御されることにより、中継手段９０に備えられた図示しない送受信部に所定の信号（情報）を送信する。この所定の信号を受信した中継手段９０は、報知部２２に向けて報知部作動信号を出力する。この所定の信号は、この発明の「第２の信号」に相当する。報知部２２は、その報知部作動信号を受信し、その報知部作動信号に基づいて作動されることで外部への報知が行う。この場合の報知部作動信号は、この発明の「第３の信号」に相当する。
【０２３７】
送受信部４８は、少なくとも中継手段９０に向けて信号を送信可能な送信部としての構成を備えていれば、どのような構成であってもよい。送受信部４８による送信形態は、無線通信であっても有線通信であってもよい。また、中継手段９０に送信される信号は、この発明の第２の信号に相当する。中継手段９０に送信される信号は、第２の信号として前記したことを適宜選択して構成することができる。送受信部４８は、この発明の「送受信手段」に相当する。
【０２３８】
図２４及び図２５は、制御手段４５０と中継手段９０との通信形態の一例を示したブロック図である。これら図において図示が省略されるが、制御手段４５０は、例えば、図２３に示したものと同様な機能的構成を有する。
【０２３９】
図２４に示すように、中継手段９０は第１通信手段３１を含んで構成され、制御手段４５０は第２通信手段３２を含んで構成される。これらが通信線Ｌ２によって送受信可能に接続されることによって、制御手段４５０と中継手段９０との送受信が可能となる。図２３において、送受信部４８は、第２通信手段３２の一形態に相当する。また、前記した中継手段９０に備えられた図示しない送受信部は、第１通信手段３１の一形態に相当する。第２通信手段３２は、例えば、制御部４３により制御されることで信号の送受信を行う。第１通信手段３１は、中継手段９０に備えられた図示しない制御部により制御されることで信号の送受信を行う。第１通信手段３１は、第２通信手段３２を介して制御部４３により制御されることで信号の送受信を行ってもよい。このように、第１通信手段３１と、第２通信手段３２とは双方向通信が可能に構成されている。
【０２４０】
また、図２５に示すように、撮影手段５０は第２通信手段３２を含んで構成されてもよい。この第２通信手段３２と中継手段９０に含まれる第１通信手段３１とが通信線Ｌ２によって送受信可能に接続される。また、第２通信手段３２と制御手段４５０に含まれる送受信部４８とが通信線Ｌ１によって送受信可能に接続される。これにより、通信線Ｌ１及び撮影手段５０を介して、制御手段４５０と中継手段９０との送受信が可能となる。ここで、通信線Ｌ２による送受信は、無線通信であっても有線通信であってもよい。
【０２４１】
［ナースコールシステム１０の全体構成］
次に、この実施形態に係る本発明のナースコールシステム１０の全体構成について説明する。図２６は、この実施形態に係るナースコールシステム１０の全体構成の一例を示した機能ブロック図である。
【０２４２】
図２６に示すように、複数の撮影手段５０と、複数の中継手段９０ａ〜９０ｄとが制御手段４５０と通信可能に接続されている。通信線Ｌ１は、複数の撮影手段５０ａ〜５０ｄと、１つの制御手段４５０とを接続する。また、通信線Ｌ２は、複数の中継手段９０ａ〜９０ｄと、１つの制御手段４５０とを接続する。また、報知部２２には、複数の中継手段９０ａ〜９０ｄが接続されている。複数の中継手段９０ａ〜９０ｄのそれぞれには、対応する複数の操作部２１ａ〜２１ｄが接続されている。
【０２４３】
撮影手段５０ａは、中継手段９０ａと、操作部２１ａとに対応付けられており、これらと、制御手段４５０と、報知部２２とが、送受信可能に接続されることで、例えば、図２２に示したナースコールシステム１０と同様に構成される。これは、撮影手段５０ｂ〜５０ｄと、中継手段９０ｂ〜９０ｄと、操作部２１ｂ〜２１ｄとがそれぞれ対応付けられる場合にも同様である。
【０２４４】
制御手段４５０には、例えば、保管手段６０が接続される。保管手段６０には、撮影手段５０と、中継手段９０と、操作部２１との対応情報が予め保管されている。制御手段４５０は、この対応情報に基づいて、撮影手段５０で生成された検知映像情報に基づき処理された情報を対応する中継手段９０に送信する。また、制御手段４５０は、この対応情報に基づいて、操作部２１から送信された報知部作動信号に対応する撮影手段５０及び病床を特定することができる。
【０２４５】
図２７は、病床番号（病床ＵＩＤ）に対応する撮影手段５０、中継手段９０、及び操作部２１を示した表である。
【０２４６】
図２７に示すように、この対応表には、病床番号と、撮影手段ＵＩＤと、中継手段９０毎に付与されたＵＩＤ（以下、単に「中継手段ＵＩＤ」という場合がある）と、操作部ＵＩＤとの対応関係が示されている。病床番号に対応付けられる対象は、これらに限定されるものではなく、例えば、図６、図１２、及び図１９の表において示したものを適宜対応させることができる。
【０２４７】
ある検知映像情報に基づき所定のイベントが発生したと判定された場合、制御手段４５０はその検知映像情報と病床との対応関係に基づいて、病床が特定されたイベント発生情報を報知部２２に送信することができる。具体的に、制御手段４５０は、病床番号の情報が付帯されたイベント発生情報を、図２７に示すような対応関係に基づいて特定された中継手段９０に送信する。中継手段９０は、制御手段４５０から受けたイベント発生情報を報知部２２に送信する。報知部２２は、その情報に付帯された病床番号の情報に基づいて病床を特定した報知を行う。これにより、その報知を受けた医療従事者は、所定のイベントの発生がどの病床で起きたのかを認知することができる。また、保管手段６０には、病床番号の情報が付帯されたイベント発生情報が保管される。また、例えば、所定のイベントの発生の判定の際に、病床番号が特定されたイベント検知映像を、制御手段４５０に備えられた表示部４４に表示することができる。このとき、例えば、イベント検知映像とともに対応する病床番号の数字が表示部４４に表示される。
【０２４８】
［ナースコールシステム１０のハードウエア構成］
次に、ナースコールシステム１０（主としてコンピュータ１００）のハードウエア構成について、図２８を参照しつつ説明する。図２８は、この実施形態に係るナースコールシステム１０のハードウエア構成の一例を示したブロック図である。
【０２４９】
この実施形態のナースコールシステム１０のハードウエア構成は、複数のナースコール子機２１０が対応する複数の中継装置９００を介して通信インターフェイス１０８とナースコール親機２２０とにそれぞれ接続される。
【０２５０】
中継装置９００は、前述した中継手段９０の機能を有していれば、どのような構成であってもよい。中継装置９００としては、例えば、経路切替器、信号変換器等が挙げられる。
【０２５１】
中継装置９００には、ナースコール子機２１０及びナースコール親機２２０が接続され、これらによってナースコール装置２００が構成される。ナースコール子機２１０及びナースコール親機２２０には、図示しない通信インターフェイスが設けられている。これにより、コンピュータ１００は、中継装置９００を介してナースコール子機２１０からの信号を受信することができる。その結果、コンピュータ１００は、中継装置９００を介してナースコール親機２２０を制御することができる。
【０２５２】
この実施形態のナースコールシステム１０における、前記以外の構成は第１〜第３の実施形態と同様に構成することができる。
【０２５３】
［ナースコールシステム１０の使用形態］
次に、この実施形態のナースコールシステム１０の使用形態について説明する。図２９は、この実施形態のナースコールシステム１０の使用形態の一例を示したフローチャートである。この使用形態の説明は図２４に示した構成を適宜用いる。
【０２５４】
図２９に示すように、このフローチャートは、撮影手段５０から送信された検知映像情報を解析することで、特定の場合に中継手段９０が報知部作動信号を報知部２２に送信する処理を示している。ここで、「特定の場合」としては、例えば、制御手段４５０において所定のイベントが発生したと判定された場合、操作部２１で操作入力がされた場合等が挙げられる。
【０２５５】
まず、撮影手段５０は、例えば病床を含む一定範囲を撮影範囲として撮影を開始する。この撮影によって検知映像情報が継続的に生成され、その生成毎に制御手段４５０に送信される（ステップＳ１０１）。
【０２５６】
次に、制御手段４５０は、撮影手段５０から送信された検知映像情報を生成する（ステップＳ１０２）。
【０２５７】
次に、制御手段４５０において、生成された検知映像情報は、解析部４１により解析される。その解析結果は判定部４２に出力される。判定部４２はその解析結果を受けて所定のイベントの発生を判定する。この解析は、前述したアルゴリズム等を用いて行われ、これにより、検知対象の動作情報が生成される。検知対象は、操作部２１を操作する操作者である。次に、前述したマッチング処理を用いて、生成された動作情報が所定のイベントの動作情報と合致するか判定する（ステップＳ１０３）。また、前記したように、イベントの重要度に応じたイベント閾値を設定することができ、所定のイベントの判定は、そのイベント閾値に基づき実行される。
【０２５８】
判定部４２において、所定のイベントが発生したと判定された場合、制御部４３は中継手段９０を制御して、報知部２２に向けて報知部作動信号を送信させる（ステップＳ１０４：ＹＥＳ、ステップＳ１０６）。判定部４２において、所定のイベントの発生が判定されない場合、ステップＳ１０２及びステップＳ１０３の処理を継続する（ステップＳ１０４：ＮＯ、ステップＳ１０２〜Ｓ１０３）。
【０２５９】
また、中継手段９０は、操作部２１から報知部２２に向けた操作入力があるかを監視する（ステップＳ１０５）。この処理はステップＳ１０１〜Ｓ１０４の処理と並行して行われる。操作部２１から中継手段９０に報知部作動信号が入力された場合、中継手段９０は、報知部作動信号を報知部２２に送信する（ステップＳ１０５：ＹＥＳ、ステップＳ１０６）。この報知部作動信号は、操作部２１において操作入力が行われることで報知部２２に入力される。一方、中継手段９０に報知部作動信号が入力されない場合、監視を継続する（ステップＳ１０５：ＮＯ）。
【０２６０】
報知部２２は、中継手段９０からの報知部作動信号を受けて、報知部２２に設けられた報知ブザー等を用いて外部に報知（ステップＳ１０７）し、処理は終了する。
【０２６１】
また、ステップＳ１０６の処理がされた場合、例えば、保管手段６０等に中継手段９０から報知部２２への作動信号の送信履歴を記録する。その場合、ステップＳ１０６の処理がステップＳ１０５の処理に起因するものであれば、例えば入力操作がされた操作部のＵＩＤ、操作入力がされた日時などの情報が、送信の履歴に対応付けられて保管される。また、ステップＳ１０６の処理が、ステップＳ１０４の処理に起因するものであれば、撮影手段５０のＵＩＤ、所定のイベントの種類、イベントが発生した日時等の情報が送信の履歴に対応付けられて保管される。ステップＳ１０６の処理が、ステップＳ１０４及びステップＳ１０５の処理に起因するものであれば、操作部２１のＵＩＤ、撮影手段５０のＵＩＤ、所定のイベントの種類、操作入力がされた日時、イベントが発生した日時等の情報が送信の履歴に対応付けられて保管される。また、この場合、所定のイベントの発生の履歴を選択的に保管するようにしてもよい。
【０２６２】
このフローチャートで示した処理は、制御手段４５０が報知部作動信号を受けた場合に、報知部２２が外部に報知するまでを示している。しかしながらこれに限定されるものではなく、例えば、報知部作動信号を受けても、撮影手段５０による検知映像情報の生成を継続させてもよい。また、報知部作動信号を受ける毎にステップＳ１０４〜Ｓ１０７の処理を分岐させて行ってもよい。
【０２６３】
［ナースコールシステム１０の作用、効果］
この実施形態のナースコールシステム１０によれば、第１〜第３のいずれかの実施形態のナースコールシステムにおいて、制御手段４０を中継手段９０に置き換え、中継手段９０に接続される制御手段４５０を新たに設けた。制御手段４５０には、撮影手段５０が接続される。制御手段４５０は、さらに、制御手段４０と同様な構成とすることができる。そのため、第１〜第３の実施形態と同様な作用効果を奏することができる。
【０２６４】
また、この実施形態のナースコールシステム１０は、報知手段２５０において、操作部２１と報知部２２との間に中継手段９０を設けた。さらに中継手段９０を介して操作部２１と報知部２２とが通信可能なように構成した。そのため、従来の構成の報知装置を簡易に本発明のナースコールシステム１０とすることができる。具体的には、操作部２１と報知部２２とが通信線で接続された従来の報知装置の通信線経路上に、中継手段９０を設けることで本発明の報知手段２５０を構成することができる。これにより、例えば、病院に既に設置がされているナースコール装置のナースコール親機、ナースコール子機を活用して、本発明のナースコールシステム１０を構築することができる。
【０２６５】
その結果、既にナースコール装置の設置がされている病院等において、既存のナースコール装置を生かすことができる。つまり、このナースコール装置を置き換えて新規なナースコールシステムを構築する場合と比較して、その構築の際の工事を簡易なものとすることができる。また、構築に伴うコストも低く抑えることができる。
【０２６６】
さらに、制御手段４５０を報知手段２５０と別個に構成したので、構築後においても制御手段４５０を置き換えることで、本発明のナースコールシステム１０の仕様変更を簡易に行うことができる。
【０２６７】
＜第５の実施形態＞
［ナースコールシステム１０］
この実施形態に係るナースコールシステムの構成を、図を参照して説明する。この説明は、ナースコールシステムの機能的構成、ナースコールシステムの全体構成、及びこの機能的構成を実現するためのハードウエア構成の順に記載される。
【０２６８】
［ナースコールシステム１０の機能的構成］
図３０は、この実施形態に係るナースコールシステムの一例を示した機能ブロック図である。図３０に示すように、ナースコールシステム１０は、報知手段２５０が、通信線Ｌ３により操作部２１から報知部２２へ情報（信号）を少なくとも送信可能に接続されている。
【０２６９】
〔中継手段９０〕
中継手段９０は、報知手段２５０の外部に備えられている。中継手段９０は、通信線Ｌ３に、通信線Ｌ４を介して接続されている。通信線Ｌ３及び通信線Ｌ４は、操作部２１から中継手段９０へ少なくとも情報を送信可能に、さらに、中継手段９０と報知部２２とにおいて情報の送受信が可能に構成される。このような構成の一例としては、通信線Ｌ３の途中から中継手段９０に向けて通信線Ｌ４が分岐する構成が挙げられる。それ以外の構成は、第４の実施形態のナースコールシステムと同様である。通信線Ｌ３及びＬ４による通信は、無線通信であっても有線通信であってもよく、必要に応じて適宜選択することができる。
【０２７０】
中継手段９０から、通信線Ｌ４を介して報知手段２５０に送信された信号は、通信線Ｌ３を介して報知部２２に入力される。また、操作部２１から送信された報知部作動信号は、通信線Ｌ３を介して報知部２２に入力され、通信線Ｌ４を介して中継手段９０に入力される。つまり、通信線Ｌ４は、通信線Ｌ３に信号を割りこませる機能を備える。
【０２７１】
また、通信線Ｌ４は、例えば操作部２１に直接接続されてもよい。これにより制御手段４５０は、中継手段９０を介して操作部２１を直接制御することができる。この場合においても操作部２１は、報知部２２に報知部作動信号を送信することができる。また、通信線Ｌ４は、例えば報知部２２に直接接続されてもよい。この場合、制御手段４５０は、中継手段９０を介して報知部２２を直接制御することができる。
【０２７２】
図３１は、制御手段４５０と中継手段９０との通信形態の一例を示した機能ブロック図である。図３２は、中継手段９０と報知手段２５０との通信形態の一例を示した機能ブロック図である。図３１及び図３２に示すように、第１通信手段３１は、通信線Ｌ３及び通信線Ｌ４を介して報知手段２５０と通信可能に接続されている。これにより、制御手段４５０から、報知部作動信号が送信された場合、第１通信手段３１は、この報知部作動信号を、通信線Ｌ３及びＬ４を介して報知部２２に送信することができる。
【０２７３】
［ナースコールシステム１０の全体構成］
次に、この実施形態のナースコールシステム１０の全体構成について説明する。図３３は、この実施形態に係るナースコールシステム１０の全体構成の一例を示した機能ブロック図である。
【０２７４】
図３３に示すように、複数の操作部２１ａ〜２１ｄと報知部２２とが通信線Ｌ４により接続されている。通信線Ｌ４には、通信線Ｌ３を介して複数の中継手段９０ａ〜９０ｄが接続されている。
【０２７５】
撮影手段５０ａは、中継手段９０ａと、操作部２１ａとに対応付けられている。また、この実施形態のナースコール１０は、これらと、制御手段４５０と、報知部２２とが、前記した実施形態の構成と同様に入出力可能に接続されることで、例えば、図３０に示したナースコールシステム１０と同様に構成される。撮影手段５０ｂ〜５０ｄが、中継手段９０ｂ〜９０ｄと、操作部２１ｂ〜２１ｄとに対応付けられる場合においても同様である。
【０２７６】
また、制御手段４５０で処理された情報を、撮影手段５０と、中継手段９０と、操作部２１との対応情報に基づいて、対応する中継手段９０に送信することができる。この情報は、撮影手段５０で生成された検知映像情報に基づき処理された情報である。また、操作部２１から報知部作動信号が送信される場合、この信号に操作部２１の識別情報が付帯される。制御手段４５０は、前記対応情報に基づいてこの信号に対応する、中継手段９０、撮影手段５０及び病床を特定することができる。病床番号に対応付けられる対象は、これらに限定されるものではなく、例えば、図６、図１２、図１９、及び図２７の表において示したものを適宜対応させることができる。
【０２７７】
［ナースコールシステム１０のハードウエア構成］
次に、前述した機能を実現するための、本発明のナースコールシステム１０（主としてコンピュータ１００）のハードウエア構成について、図３４を参照しつつ説明する。図３４は、この実施形態に係るナースコールシステム１０の一例を示した機能ブロック図である。
【０２７８】
この実施形態に係る本発明のナースコールシステム１０のハードウエア構成は、ナースコール子機２１０とナースコール親機２２０とが通信線で接続されることでナースコール装置２００が構成され、この通信線に中継装置９００が接続されること以外は、第３の実施の形態に係る本発明のナースコールシステム１０と同様な構成を有する。
【０２７９】
［ナースコールシステム１０の使用形態］
この実施形態のナースコールシステム１０の使用形態は、第３の実施形態のナースコールシステム１０の使用形態と同様である。
【０２８０】
［ナースコールシステム１０の作用、効果］
この実施形態のナースコールシステム１０は、操作部２１と報知部２２とが接続されることで構成された報知手段２５０と制御手段４５０とを、報知手段２５０に接続された中継手段９０を介して送受信可能とした。そのため、第４の実施形態と同様な作用効果を奏することができる。また、この実施形態のナースコールシステム１０は、通信線Ｌ３に信号を割りこませる機能を備えた通信線Ｌ４を用いて中継手段９０を設けた。したがって、従来のナースコールの報知装置を、そのまま本発明のナースコールシステム１０を構成する報知手段２５０とすることができる。これにより、既に設置されている従来のナースコール装置に本実施形態を適用する場合、構築の際の工事を更に簡易なものとすることができ、また、その構築に係るコストも更に低く抑えることができる。
【０２８１】
＜第６の実施形態＞
［ナースコールシステム１０］
この実施形態に係るナースコールシステムの構成を、図を参照して説明する。この説明は、ナースコールシステムの機能的構成、ナースコールシステムの全体構成、及びこの機能的構成を実現するためのハードウエア構成の順に記載される。
【０２８２】
［ナースコールシステム１０の機能的構成］
図３５及び図３６は、この実施形態に係るナースコールシステムの一例を示した機能ブロック図である。図３６は、図３５に示したナースコールシステム１０の詳細構成の一例を示す。
【０２８３】
図３６に示すように、本発明のナースコールシステム１０は、制御手段４５０に、携帯通信端末７０と送受信が可能な第３通信手段が備えられている。携帯通信端末７０は、例えば、第２の実施形態において述べたものと同様に構成することができる。また、第３通信手段３３は、制御手段４０を制御手段４５０と読み替えて、第２の実施形態において述べたものと同様に構成することができる。
【０２８４】
第３通信手段３３は、携帯通信端末７０に、「報知部作動信号が報知部２２に向けて出力された」ことを示す情報を送信する。これは、例えば、操作部２１の操作に応じて報知部作動信号が送信された場合に、その信号が中継手段９０を介して制御手段４５０に入力される。その信号を受けた制御手段４５０は、第３通信手段３３から携帯通信端末７０に向けて「操作部２１において呼び出し操作があった」ことを示す情報を送信する（呼び出し操作の通知）。また、所定のイベントが発生したと判定された場合、制御手段４５０は、中継手段９０を制御する。この場合、制御手段４５０は、さらに、このイベント発生情報を、第３通信手段３３を介して携帯通信端末７０に送信する（イベント発生の通知）。また、第２通信手段３２が無線通信機能を備える場合、第２通信手段３２が第３通信手段３３の機能を兼ねてもよい。
【０２８５】
携帯通信端末７０が、前述した表示部７０Ｂを備える場合、表示部７０Ｂにイベント検知映像が表示される。表示部７０Ｂにおける表示については、例えば、前述したことを適宜選択して用いることができる。この場合の表示部７０Ｂは、この発明の「第４の表示部」に相当する。
【０２８６】
［ナースコールシステム１０の全体構成］
次に、この実施形態のナースコールシステム１０の全体構成について説明する。図３７は、この実施形態に係るナースコールシステム１０の全体構成の一例を示したブロック図である。
【０２８７】
図３７に示すように、制御手段４５０には、複数の携帯通信端末７０ａ〜７０ｄが接続されている。携帯通信端末７０ａは、撮影手段５０ａと、中継手段９０ａ及び操作部２１ａとにそれぞれ対応付けられおり、これらと制御手段４５０とが通信可能に接続されることで、図３５に示した本発明のナースコールシステム１０と同様に構成される。これは、携帯通信端末７０ｂ〜７０ｄの場合にも同様のことが言える。
【０２８８】
図３８は、病床番号（病床ＵＩＤ）に対応する撮影手段５０、中継手段９０、操作部２１、及び携帯通信端末７０を示した表である。なお、例えば、この表において、先に図６等で示した例のように、患者及び医療従事者にＵＩＤを付与し、これらも病床番号に対応付けることで対応情報としてもよい。
【０２８９】
図３８に示すように、この対応表は、病床番号と、撮影手段ＵＩＤと、中継手段ＵＩＤと、操作部ＵＩＤと、携帯通信端末ＵＩＤとが示されている。病床番号に対応付けられる対象は、これらに限定されるものではなく、例えば、前述した図６等の表において示したものを適宜対応させることができる。例えば、特定の患者に対して、優先的にかけつける（対応する必要がある）医療従事者（担当医師、担当看護師等）が決まっている場合、それらの担当者にＵＩＤが付与されていることで、当該担当者の保有する携帯情報端末を選択して、情報の出力を行うようにすることもできる。
【０２９０】
この表により、例えば、撮影手段５０と携帯通信端末７０との対応が分かるので、所定の検知映像情報に基づき所定のイベントが判定された場合には、検知映像情報に付帯された撮影手段５０の情報（撮影手段ＵＩＤ）から、対応する携帯通信端末ＵＩＤが特定される。制御手段４５０は特定された携帯通信端末７０にこの判定結果を報知し、必要に応じて、携帯通信端末７０に備えられた表示部７０Ｂにライブ映像、イベント検知映像等を表示させることができる。また、この表により、例えば、操作部２１と携帯通信端末７０との対応が分かるので、操作部２１が操作された場合には、制御手段４５０は対応する携帯通信端末７０にこの「操作された」ことを示す情報を報知部作動信号とともに送信し、その情報を、必要に応じて、携帯通信端末７０に備えられた表示部７０Ｂにイベント検知映像として表示させることができる。
【０２９１】
［ナースコールシステム１０のハードウエア構成］
次に、前述した機能を実現するための、本発明のナースコールシステム１０（主としてコンピュータ１００）のハードウエア構成について、図３９を参照しつつ説明する。図３９は、この実施形態に係るナースコールシステム１０のハードウエア構成の一例を示したブロック図である。
【０２９２】
この実施形態のナースコールシステム１０のハードウエア構成は、複数の携帯通信端末７００が無線通信インターフェイス（Ｉ／Ｆ）１１１を介して通信可能に接続される。無線通信インターフェイス１１１の構成は、例えば、第２の実施形態で述べたものと同様に構成することができる。
【０２９３】
この実施形態のナースコールシステム１０の前記以外の構成は、例えば第１〜第５の実施形態と同様に構成することができる。
【０２９４】
［ナースコールシステム１０の使用形態］
この実施形態のナースコールシステム１０の使用形態について説明する。図４０は、この実施形態のナースコールシステム１０の使用形態の一例を示したフローチャートである。この使用形態の説明は図３６に示した構成を適宜用いる。
【０２９５】
図４０に示すように、このフローチャートは、図２９に示したフローチャートの処理に加えて、制御手段４５０が、所定のイベントが発生したと判定された場合又は報知部作動信号を制御手段４５０が受けた場合に、その旨を示す情報を携帯通信端末７０に送信する処理を示す。以下に、各ステップを追って詳しく説明する。
【０２９６】
ステップＳ１１１〜ステップＳ１１５の処理は、図２９で示したフローチャートのステップＳ１０１〜ステップＳ１０５の処理と同様に行う（ステップＳ１１１〜Ｓ１１５）。
【０２９７】
判定部４２において、所定のイベントが発生したと判定された場合（ステップＳ１１４：ＹＥＳ）、制御部４３は中継手段９０に対し、報知部２２へ報知部作動信号を送信させるように制御する（ステップＳ１１６）。制御部４３は、さらにイベント発生情報を携帯通信端末７０に通知する（ステップＳ１１８）。携帯通信端末７０は、この通知を受けて所定のイベントの発生を外部に報知する。この報知は、人間の五感に対して行われるものであれば、どのような形態であってもよいが、例えば、音、文字、映像、振動等によって行われる。所定のイベントの発生が判定されない場合（ステップＳ１１４：ＮＯ）、ステップＳ１１２及びステップＳ１１３の処理を継続する（ステップＳ１１２〜Ｓ１１３）。
【０２９８】
また、中継手段９０に操作部２１からの報知部作動信号が入力された場合（ステップＳ１１５：ＹＥＳ）、中継手段９０は、その報知部作動信号を報知部２２に送信する（ステップＳ１１６）。中継手段９０は、さらに操作部２１において操作入力があった旨を携帯通信端末７０に通知する（ステップＳ１１９）。携帯通信端末７０は、この通知を受けてその操作入力の情報を外部に報知する。中継手段９０に、操作部２１からの報知部作動信号が入力されなければ、監視を継続する（ステップＳ１１５：ＮＯ）。
【０２９９】
報知部２２が、中継手段９０からの報知部作動信号を受けて、報知部２２に設けられた報知ブザー等を用いて外部に報知することで処理は終了する（ステップＳ１１７）。
【０３００】
また、この図に示した処理は、制御手段４５０が報知部作動信号を受けてから、報知部２２が外部に報知するまでを示しているが、報知部作動信号を受けても、撮影手段５０による検知映像の生成を継続させてもよく、報知部作動信号を受ける毎にステップＳ１１４〜Ｓ１１９の処理を分岐させて行ってもよい。
【０３０１】
この実施形態に係る本発明のナースコールシステム１０の前記以外の使用形態は、第４及び第５の実施形態のナースコールシステム１０の使用形態と同様である。
【０３０２】
［ナースコールシステム１０の作用、効果］
この実施形態のナースコールシステム１０は、操作部２１と報知部２２とが接続されることで構成された報知手段２５０と制御手段４５０とを、中継手段９０を介して送受信可能に構成した。そのため、第４及び第５の実施形態と同様な作用効果を奏することができる。
【０３０３】
また、この実施形態のナースコールシステム１０は、制御手段４５０に携帯通信端末７０と通信可能な第３の通信手段を設けたので、所定のイベントが発生したと判定された場合又は報知部作動信号を制御手段４５０が受けた場合、その旨を示す情報を携帯通信端末７０に送信することができる。このことにより、例えば、病院において医療従事者がナースステーションにいなくても、患者の容態の急変等を携帯通信端末７０を通じて知ることができる。また、携帯通信端末７０が表示部を有する場合には、その表示部に、例えば、所定のイベントの発生時の映像が表示されることで、治療等の対応を素早く行うことができる。
【０３０４】
以上、この発明の実施形態について具体的に説明したが、この発明は、上述の実施形態に限定されるものではなく、この発明の技術的思想に基づく各種の変形が可能である。また、上述の実施形態の一部、若しくは全部を適宜組み合わせて構成することもできる。また、ナースコールシステムは、報知システムの一形態であって、同様な構成を、介護システム、在宅介護システム等に適用することも可能である。
【０３０５】
また、上述の実施形態において挙げた数値、構造、構成、形状、材料などはあくまでも例に過ぎず、必要に応じてこれらと異なる数値、構造、構成、形状、材料などを用いてもよい。
【符号の説明】
【０３０６】
１０    ナースコールシステム
２０,２５０    報知手段
２１    操作部
２２    報知部
３０    無線通信手段
４０,４５０    制御手段
４１    解析部
４２    判定部
４３    制御部
４６    保管部
４７    保管優先度付与部
５０    撮影手段
６０    保管手段
７０    携帯通信端末
８０    マイクロ波ドップラーセンサ
９０    中継手段
【図１】
2018166335.tif 000003
【図２】
2018166335.tif 000004
【図３】
2018166335.tif 000005
【図４】
2018166335.tif 000006
【図５】
2018166335.tif 000007
【図６】
2018166335.tif 000008
【図７】
2018166335.tif 000009
【図８】
2018166335.tif 000010
【図９】
2018166335.tif 000011
【図１０】
2018166335.tif 000012
【図１１】
2018166335.tif 000013
【図１２】
2018166335.tif 000014
【図１３】
2018166335.tif 000015
【図１４】
2018166335.tif 000016
【図１５】
2018166335.tif 000017
【図１６】
2018166335.tif 000018
【図１７】
2018166335.tif 000019
【図１８】
2018166335.tif 000020
【図１９】
2018166335.tif 000021
【図２０】
2018166335.tif 000022
【図２１】
2018166335.tif 000023
【図２２】
2018166335.tif 000024
【図２３】
2018166335.tif 000025
【図２４】
2018166335.tif 000026
【図２５】
2018166335.tif 000027
【図２６】
2018166335.tif 000028
【図２７】
2018166335.tif 000029
【図２８】
2018166335.tif 000030
【図２９】
2018166335.tif 000031
【図３０】
2018166335.tif 000032
【図３１】
2018166335.tif 000033
【図３２】
2018166335.tif 000034
【図３３】
2018166335.tif 000035
【図３４】
2018166335.tif 000036
【図３５】
2018166335.tif 000037
【図３６】
2018166335.tif 000038
【図３７】
2018166335.tif 000039
【図３８】
2018166335.tif 000040
【図３９】
2018166335.tif 000041
【図４０】
2018166335.tif 000042
【図４１】
2018166335.tif 000043